(57)【要約】【課題】多数の遊技者に不公平感を抱かせないように、遊技中に遊技者が損失した遊技球の損失補填を実行することができるパチンコ遊技機を提供する。【解決手段】遊技者が所有する遊技球の一部を徴収する徴収処理と、遊技実行制御手段の抽選処理に基づく遊技結果に応じて、遊技者が損失した遊技球の補填処理とを含む損失補填モードの制御を行う損失補填制御手段と、損失補填モードにするか否かを遊技者により選択操作可能な選択手段と、入賞領域の上流側に設けられ、所定数の遊技球の貯留及び貯留解除が可能な貯留手段を備え、損失補填制御手段は、前記補填処理を実行する場合、貯留手段に貯留された遊技球の貯留を解除して当該貯留手段から放出された遊技球を入賞領域に入賞させ、入賞数に応じて払い出された賞球を補填に充当する遊技機とした。【選択図】図１８
2009201814.tif 000002
【特許請求の範囲】
【請求項１】
遊技球が転動するとともに、複数の入賞領域が設けられた遊技領域を有する遊技盤と、
前記入賞領域を遊技球が通過した場合、所定数の賞球を払い出す賞球払出手段と、
この賞球払出手段の動作制御を行うとともに、多くの賞球の払出を受ける機会が増加する特別遊技に移行させるか否かの抽選処理を行う遊技実行制御手段と、
遊技者が所有する遊技球の一部を徴収する徴収処理と、前記遊技実行制御手段の抽選処理に基づく遊技結果に応じて、遊技者が損失した遊技球を補填する補填処理とを含む損失補填モードの制御を行う損失補填制御手段と、
前記損失補填モードにするか否かを遊技者により選択操作可能な選択手段と、
前記入賞領域の上流側に設けられ、所定数の遊技球の貯留及び貯留解除が可能な貯留手段と、
を備え、
前記損失補填制御手段は、
前記補填処理を実行する場合、前記貯留手段に貯留された遊技球の貯留を解除して当該貯留手段から放出された遊技球を前記入賞領域に入賞させ、前記賞球払出手段により入賞数に応じて払い出された賞球を補填に充当することを特徴とする遊技機。
【請求項２】
前記遊技領域に設けられた複数の入賞領域は、
遊技球の通過が、前記遊技実行制御手段による前記抽選処理が実行される契機となる抽選始動入賞領域と、前記特別遊技に移行した際に、閉鎖状態から所定時間開放状態となる特別入賞領域とを含み、
前記貯留手段は、
前記特別入賞領域の上方に配置されていることを特徴とする請求項１記載の遊技機。
【請求項３】
前記損失補填制御手段は、
前記特別入賞領域が開放状態となったときに、前記貯留手段による遊技球の貯留を解除することを特徴とする請求項２記載の遊技機。
【請求項４】
前記特別遊技は、
遊技者がより多くの賞球の払い出しを受けることのできる大当たり遊技と、この大当たり遊技よりも有利度合いの小さい小当たり遊技とを含み、
前記損失補填制御手段は、
前記遊技実行制御手段による前記抽選処理の結果、前記小当たり遊技に当選した場合に、前記貯留手段に貯留された遊技球の貯留を解除することを特徴とする請求項３記載の遊技機。
【発明の詳細な説明】
【技術分野】
【０００１】
本発明は、遊技機に関し、特に賞球の一部又は全部を保険として徴収して蓄え、遊技者が損失した遊技球を補填する損失補填処理を実行可能としたパチンコ遊技機に関する。
【背景技術】
【０００２】
従来のパチンコ遊技機では、遊技領域に設けられた特定領域（つまり、始動口）を、遊技球が通過又は入賞した事を契機として、所定の抽選確率（例えば、１／３００）において大当たり抽選を行ない、大当たり抽選に当選した場合は、短時間に大量の賞球を遊技者に還元する大当たり遊技を実行する遊技機が良く知られている。
【０００３】
このようなパチンコ遊技機においては、大当たり抽選に当選することが遊技者における遊技目的といえるが、一般的なパチンコ遊技機においては、例えば、所定の抽選確率を１／３００とすると、必ず３００回に１回の割合で、大当たり抽選に当選するものではなく、あくまで１／３００の当選確率は、何十万回の大当たり抽選の収束値に過ぎないため、実際には、連続して大当たり抽選に当選する場合もあれば、対照的に１０００回以上大当たり抽選に当選しない、所謂「ハマリ」と呼ばれる遊技者に不利な遊技状態が継続する場合もある。
【０００４】
そして、「ハマリ」と呼ばれる遊技状態においては、その単調な遊技状態に飽きて、遊技者の遊技意欲が除々に薄れてしまい、また、近隣の他の遊技者が少ないチャンスで大当たり抽選に当選したりすると不公平感すら抱くようになり、当該遊技機に対する興味や関心を失う場合があった。
【０００５】
一方、パチンコ遊技機同様に、遊技場に設置されている回動式遊技機（以下、スロットマシン又はパチスロ遊技機という）においては、遊技者にとって有利な遊技状態（所謂、パチンコ遊技機の大当たり遊技に相当するボーナスゲームへの当選）が長期間発生せずに、遊技者にとって不利益な遊技状態、つまり、「ハマリ」の遊技状態が長く続いた場合、遊技者を救済するために、スロットマシンのコインの損失が一定数に達したり、所定回数以上（例えば、１０００回）のボーナスゲームの抽選回数に到達したりすると、その遊技者に対して一定量のコインを還元するスロットマシンが知られている。
【０００６】
そして、コインの一定数の損失に対する一定量の還元は、遊技者にとってはコインを一方的に消費する極めて不利な遊技状態が、所定期間継続したことに対する補償として実行されるので、一般に保険機能と称されている。
【０００７】
このような保険機能が付加されたスロットマシンとしては、ボーナスゲームの当選や大当たり当選の大入賞以外の入賞に対して、所定の割合の賞を保険として蓄えておき、所定条件が満たされた場合に損失補填を行うといった保険機能を有することによって、「ハマリ」の状態を救済するものが提案されている（特許文献１を参照）。また、保険機能を作動させるための専用のコインの投入口を設け、そこにコインが投入されたことを検知すると、保険機能を作動させ、遊技者が通常遊技で消費したコイン数が一定数に達した場合に、一定量のコインを払い出すスロットマシンも提案されている（特許文献２を参照）。
【０００８】
さらに、保険機能の作動抽選を、乱数抽選を用いて抽選して、保険機能の作動抽選に当選したことを遊技者に告知するスロットマシンが提案されている（特許文献３を参照）。そして、タッチパネル等の操作表示手段を用いることにより、保険機能の作動を遊技者が設定できるようにして、保険機能が作動するまでを表示するスロットマシンも提案されている（特許文献４を参照）。
【特許文献１】米国特許第５，９１０，０４８号公報
【特許文献２】特開平４−２４４１７８号公報
【特許文献３】特開２００７−９７９８３号公報
【特許文献４】特開２００７−１２５２９７号公報
【発明の開示】
【発明が解決しようとする課題】
【０００９】
しかしながら、上述した特許文献１〜４は、保険機能をあくまでもスロットマシンに対して適用したものであり、パチンコ遊技機で適用されるものではない。すなわち、同じ遊技場で使用される遊技機でも、スロットマシン（パチスロ遊技機）とパチンコ遊技機とでは、そのゲーム性は大きく異なるものであり、単純にスロットマシンの保険機能をパチンコ遊技機に適用できるものではない。
【００１０】
また、上記のコイン等を遊技媒体とするスロットマシンのような、「ハマリ」状態を救済するための保険機能が、パチンコ遊技機に一様に付加されることは、遊技者にとって一様に望ましいこととは言えない。
【００１１】
例えば、短時間に限ってパチンコ遊技を楽しもうとする遊技者にとっては、当然上述したような「ハマリ」の遊技状態は発生しないにも拘らず、保険機能の作動による保険の徴収、例えば、５個の賞球に対して１個の遊技球が保険料として徴収されることは、当然好まれず、このような遊技者に対しては、逆に保険機能が不公平感に繋がりかねない。
【００１２】
また、パチンコ遊技には「ハマリ」がつきものであるとして、保険機能の付加により遊技球が徴収されることを好まないものもいる。
【００１３】
そこで、パチンコ遊技機において、遊技者の不公平感を緩和でき、なおかつ、保険機能を有効に適用させるために、具体的にどのような態様（遊技球の徴収方法、保険機能の解除条件、損失補填のタイミング等）で保険機能を作動させればよいかが課題となる。
【００１４】
そこで、本発明は、上述した課題を解決することのできる遊技機を提供することを目的としている。
【課題を解決するための手段】
【００１５】
（１）本発明では、遊技球が転動するとともに、複数の入賞領域が設けられた遊技領域を有する遊技盤と、前記入賞領域を遊技球が通過した場合、所定数の賞球を払い出す賞球払出手段と、この賞球払出手段の動作制御を行うとともに、多くの賞球の払出を受ける機会が増加する特別遊技に移行させるか否かの抽選処理を行う遊技実行制御手段と、遊技者が所有する遊技球の一部を徴収する徴収処理と、前記遊技実行制御手段の抽選処理に基づく遊技結果に応じて、遊技者が損失した遊技球を補填する補填処理とを含む損失補填モードの制御を行う損失補填制御手段と、前記損失補填モードにするか否かを遊技者により選択操作可能な選択手段と、前記入賞領域の上流側に設けられ、所定数の遊技球の貯留及び貯留解除が可能な貯留手段と、を備え、前記損失補填制御手段は、前記補填処理を実行する場合、前記貯留手段に貯留された遊技球の貯留を解除して当該貯留手段から放出された遊技球を前記入賞領域に入賞させ、前記賞球払出手段により入賞数に応じて払い出された賞球を補填に充当する遊技機とした。
【００１６】
（２）本発明は、上記（１）に記載の遊技機において、前記遊技領域に設けられた複数の入賞領域は、遊技球の通過が、前記遊技実行制御手段による前記抽選処理が実行される契機となる抽選始動入賞領域と、前記特別遊技に移行した際に、閉鎖状態から所定時間開放状態となる特別入賞領域とを含み、前記貯留手段は、前記特別入賞領域の上方に配置されていることを特徴とする。
【００１７】
（３）本発明は、上記（２）に記載の遊技機において、前記損失補填制御手段は、
前記特別入賞領域が開放状態となったときに、前記貯留手段による遊技球の貯留を解除することを特徴とする。
【００１８】
（４）本発明は、上記（３）に記載の遊技機において、前記特別遊技は、遊技者がより多くの賞球の払い出しを受けることのできる大当たり遊技と、この大当たり遊技よりも有利度合いの小さい小当たり遊技とを含み、前記損失補填制御手段は、前記遊技実行制御手段による前記抽選処理の結果、前記小当たり遊技に当選した場合に、前記貯留手段に貯留された遊技球の貯留を解除することを特徴とする。
【発明の効果】
【００１９】
本発明によれば、パチンコ遊技機に、遊技者の遊技中における損失を補填する損失補填モードでの遊技を遊技者自身の選択により行えるようにしているので、遊技者にとって不公平感の少ない遊技機を提供することが可能となる。しかも、入賞領域の上流側に遊技球の貯留及び貯留解除が可能な貯留手段が設けられており、補填処理を実行する場合、貯留手段に貯留された遊技球の貯留を解除して当該貯留手段から放出された遊技球を入賞領域に入賞させ、入賞数に応じて払い出された賞球を補填に充当するようにしているため、損失補填モードでの遊技性が向上し、より多くの遊技者に受けいれられやすい遊技機とすることが可能となる。
【発明を実施するための最良の形態】
【００２０】
以下、本発明の実施形態について説明する。
【００２１】
本実施形態に係る遊技機は、遊技球が転動するとともに、複数の入賞領域が設けられた遊技領域を有する遊技盤と、前記入賞領域を遊技球が通過した場合、所定数の賞球を払い出す賞球払出手段と、この賞球払出手段の動作制御を行うとともに、多くの賞球の払出を受ける機会が増加する特別遊技に移行させるか否かの抽選処理を行う遊技実行制御手段と、遊技者が所有する遊技球の一部を徴収する徴収処理と、前記遊技実行制御手段の抽選処理に基づく遊技結果に応じて、遊技者が損失した遊技球を補填する補填処理とを含む損失補填モードの制御を行う損失補填制御手段と、前記損失補填モードにするか否かを遊技者により選択操作可能な選択手段と、前記入賞領域の上流側に設けられ、所定数の遊技球の貯留及び貯留解除が可能な貯留手段と、を備え、前記損失補填制御手段は、前記補填処理を実行する場合、前記貯留手段に貯留された遊技球の貯留を解除して当該貯留手段から放出された遊技球を前記入賞領域に入賞させ、前記賞球払出手段により入賞数に応じて払い出された賞球を補填に充当する遊技機としたものである。
【００２２】
すなわち、本実施形態におけるパチンコ遊技機は、遊技盤の遊技領域に設けられた複数の入賞領域を遊技球が通過したことを契機として、予め定められた数の遊技球（所謂、賞球）を払い出す賞球払出手段を備えるとともに、前記複数の入賞領域のうち、例えば、特定の入賞領域（例えば、始動口）に遊技球が通過したことを契機として、多くの賞球の払出を受ける機会が増加する特別遊技に移行させるか否かの抽選処理を行う遊技実行制御手段を備えたものである。
【００２３】
そして、遊技実行制御手段は、前記特別遊技の中でも、遊技者に対して短時間で大量の賞球を獲得できる機会のある大当たり遊技に当選した場合に、同じく遊技領域に備えられた複数の入賞領域の一つである特別入賞領域（以下、大入賞口という）を遊技領域に広く開放して、遊技領域を流下した遊技球の入球を容易とすることにより、遊技者に短時間で所定数の出玉（賞球）を獲得させる構成としている。つまり、当該パチンコ遊技機における遊技者にとっては、大当たり遊技へ当選することが最大の遊技目的といえる。
【００２４】
また、本実施形態におけるパチンコ遊技機は、前述した大当たり遊技の実行時以外は、遊技者が所有する遊技球を確実に消費してゆくものである。つまり、遊技者が当該パチンコ遊技機において勝利するためには、大当たり遊技への当選が必須となる。ところが、前記大当たり抽選手段による大当たり遊技の当選確率は、一般に、大当たり遊技の実行時に遊技者が獲得できる賞球数に応じて設定されているもので、例えば、当選確率が（１／３００）の場合は、平均すると、前述した特定の入賞領域（以下「始動口」という）に遊技球が３００回入賞した場合に、１回の大当たり遊技が発生することとなる。
【００２５】
しかし、この当選確率（つまり、１／３００）は、あくまで何十万回という試行結果に応じた平均確率であり、遊技者によっては当選確率に見合った始動口への入賞回数（つまり、３００回）の２倍、３倍の入賞回数があっても大当たり遊技へ当選しない、所謂「ハマリ」と呼ばれる遊技状況が発生する場合もある。一方、遊技を開始してから始動口に数回遊技球が入球しただけで、大当たり遊技の当選を獲得できる場合もある。この場合、いくら乱数等を用いた公平な抽選処理の結果であっても、「ハマリ」状態の遊技者が、パチンコ遊技機に対する不公平感や不信感を抱くことを防げない。
【００２６】
そこで、本実施形態においては、遊技者の所有する遊技球の一部を徴収する徴収処理と、前記大当たり抽選手段による複数回の大当たり抽選の結果に応じて、遊技者が損失した遊技球を補填する処理とを含む損失補填モードの制御を行う損失補填制御手段と、損失補填モードにするか否かを遊技者により選択可能な選択手段を備えた構成としている。
【００２７】
つまり、遊技者が選択手段を用いて、損失補填モードを選択した場合には、損失補填制御手段は、徴収処理において遊技者の所有する遊技球の一部を蓄えるとともに、その後、大当たり遊技の抽選回数が所定回数に達した場合、すなわち、前述した「ハマリ」状態にある場合には、所定数の遊技球を遊技者に還元する補填処理を実行する機能を備えている。すなわち、本実施形態に係る遊技機の損失補填モードは、あたかも損害保険や生命保険などのような保険として機能するのである。
【００２８】
なお、上述した徴収処理において遊技者の所有する遊技球の一部を蓄える場合に、「ハマリ」状態の遊技者から過剰に遊技球を徴収すると、遊技者の当該パチンコ遊技機における遊技意欲を失わせることに繋がりかねないため、所定数（例えば、３０個）の遊技球の徴収上限とするとともに、補填処理において所定数の遊技球を遊技者に還元する場合には、例えば、徴収した数よりも多い数の遊技球を、遊技者に一括して還元するようにすることが望ましい。すなわち、上記構成の徴収処理及び補填処理とすることで、大当たり遊技への当選に恵まれない遊技者にとっても納得のいく損失補填とすることができる。
【００２９】
さらに、本実施形態においては、複数の入賞領域の上流側に所定数の遊技球を貯留及び貯留解除できる貯留手段を備えている。なお、前記遊技球の貯留手段は、遊技領域を上流から下流へ流下転動してゆく遊技球が、所定数（例えば、２０個）貯留される態様を遊技者が視認可能なように構成され、さらに、貯留手段を解除した場合に、貯留手段から下流へ流下してゆく遊技球が、その下方に設置された入賞領域への通過態様が遊技者に観察できる構成が望ましい。
【００３０】
上述してきた構成の遊技機において、本実施形態における損失補填制御手段は、遊技者が選択手段を用いて、損失補填モードを選択した場合であり、なおかつ、遊技者が損失した遊技球の補填条件が満たされた場合に、貯留手段に貯留された遊技球の貯留を解除して当該貯留手段から放出された遊技球を入賞領域に入賞させ、賞球払出手段により入賞数に応じて払い出された賞球を補填に充当するのである。
【００３１】
これにより、本実施形態における損失補填モードの実行が、実際に遊技領域に設けられた入賞領域への入賞（つまり、通過）したことによる賞球により実行されることとなるので、貯留手段からその下流に設けられた入賞領域に遊技球が流下して、入賞する態様を遊技者が実際に視認して楽しむことができるとともに、入賞領域に入賞した遊技球の数に応じた数の賞球を獲得できるため、損失補填モードの実行に対して遊技者に不公平感を与えることがなく、また、大当たり遊技への当選に恵まれない所謂「ハマリ」状態の遊技者の不満をも同時に解消できるパチンコ遊技機を提供することが可能となる。
【００３２】
なお、前記選択手段としては、専用の操作ボタン等で構成された専用の操作部を、当該パチンコ遊技機の遊技者が操作し易い位置に設けて、さらに、遊技者が操作部を操作することにより、損失補填モードを選択した場合には、現在の遊技状況が損失補填モードであることを、パチンコ遊技機の表示手段である液晶表示装置等を用いて遊技者に解り易く表示するとともに、遊技者が損失した遊技球の補填処理が実行されるまでの、大当たり遊技の抽選回数等もカウントダウン方式で表示することが望ましい。
【００３３】
また、前記遊技領域に設けられた複数の入賞領域は、遊技球の通過が、前記遊技実行制御手段による前記抽選処理が実行される契機となる抽選始動入賞領域（つまり、始動口）と、前記特別遊技に移行した際に、閉鎖状態から所定時間開放状態となる特別入賞領域（つまり、大入賞口）とを含み、前記貯留手段は、前記特別入賞領域（つまり、大入賞口）の上方に配置することもできる。
【００３４】
すなわち、本実施形態における大入賞口は、前面に開閉自在のシャッタ等の可動部材を備え、特別遊技の実行時以外は大入賞口前面のシャッタを閉鎖状態にして、大入賞口内部に設けられた特別入賞領域への遊技球の入球を不可としているが、特別遊技の実行時には、大入賞口前面のシャッタを所定時間開放状態にして、特別入賞領域への遊技球の入球を可能とするものであり、遊技領域に設けられた他の複数の入賞領域と比較すると相対的に大型の入賞領域として設置されている。
【００３５】
そして、本実施形態における貯留手段を、前述した大入賞口の上方に設けることにより、遊技者が損失した遊技球の補填条件が満たされた場合に、貯留手段に貯留された所定数の遊技球の貯留を解除して、当該貯留手段から放出された遊技球を入賞させる入賞領域を特別入賞領域である大入賞口とすることにより、遊技領域に設けられている複数の入賞領域のなかでも、大型に構成された大入賞口へのダイナミックな遊技球の入賞態様を実現するのである。
【００３６】
また、前記損失補填制御手段は、前記特別入賞領域（つまり、大入賞口）が開放状態となったときに、前記貯留手段による遊技球の貯留を解除することもできる。
【００３７】
すなわち、本実施形態における貯留手段に貯留された所定数の遊技球の貯留の解除条件の一つとして、上述してきたように、遊技領域に設けられた複数の入賞領域の中でも比較的大型に構成された大入賞口の開放を貯留の解除の条件とするのである。
【００３８】
これにより、通常の大当たり遊技の実行中においても実現する事のない、貯留手段に貯留された所定数（例えば、２０個）の遊技球の大入賞口への入賞を実現できるため、所謂「ハマリ」状態、言い換えると、大当たり遊技の獲得に恵まれない遊技者に対して、新たな大入賞口への遊技球の入賞態様を備えた遊技機を提供することが可能となる。
【００３９】
また、前記特別遊技は、遊技者がより多くの賞球の払い出しを受けることのできる大当たり遊技と、この大当たり遊技よりも有利度合いの小さい小当たり遊技とを含み、前記損失補填制御手段は、前記遊技実行制御手段による前記抽選処理の結果、前記小当たり遊技に当選した場合に、前記貯留手段に貯留された遊技球の貯留を解除することもできる。
【００４０】
すなわち、本実施形態における特別遊技には、先述したように、大入賞口前面のシャッタを開放して、所定の条件を満たしたことで閉鎖するまでを、１回のラウンド遊技として、ラウンド遊技を所定の回数繰り返すことで、遊技者に対して所定数の賞球を提供する大当たり遊技がある。また、大当たり遊技の実行時に繰り返されるラウンド遊技の実行回数は、常に一定の回数（例えば、１５回）とは限らず、当選した大当たり遊技の種類によって、例えば、２回又は１５回という異なるラウンド遊技の実行回数が設定される場合がある。
【００４１】
なお、当然のことながら、ラウンド遊技の実行回数の少ない大当たり遊技が実行された場合は、ラウンド遊技の実行回数の多い大当たり遊技が実行された場合と比較すると、遊技者が獲得できる賞球は相対的に少ない。すなわち、本実施形態における大当たり遊技は、遊技者に対して有利度合いの異なる複数の大当たり遊技で構成されているのである。
【００４２】
さらに、本実施形態における特別遊技には、上記大当たり遊技よりもさらに遊技者に対する有利度合いの低い小当たり遊技がある。この小当たり遊技は、上述した大当たり遊技と同様に、大入賞口の開閉動作（所謂ラウンドゲーム）を実行するものであるが、大当たり遊技とは異なり、１回のラウンドゲームしか実行されず、しかも大入賞口の開放時間は大当たり遊技と比較すると極めて短時間（例えば、１秒以下）に設定されているため、いくら、他の入賞領域と比較すると大型に構成された大入賞口であっても、大量の遊技球の入賞は望めなかった。
【００４３】
そこで、本実施形態においては、上記小当たり遊技が実行されるタイミングであり、なおかつ、遊技者が損失した遊技球の補填条件が満たされた場合に、その上流に設置された貯留手段に貯留されている所定数の遊技球の貯留を解除するのである。これにより、大当たり遊技と比較して大入賞口の開放時間が短時間の小当たり遊技であっても、貯留手段に貯留された所定数の遊技球の入賞が望めるため、所謂「ハマリ」状態の遊技者にとって、大入賞口に入賞した遊技球の個数に応じた、ある程度の賞球を遊技者に対する損失補填として提供することができる。
【００４４】
上述してきた構成のパチンコ遊技機によれば、遊技者の遊技中における損失を補填する損失補填モードでの遊技を遊技者自身の選択により行えるようにしているので、遊技者にとって不公平感の少ない遊技機を提供することが可能となる。しかも、遊技領域に設けられた複数の入賞領域うち、もっとも遊技球の入賞確率の高い大入賞口の上流側に遊技球の貯留及び貯留解除が可能な貯留手段を設けて、損失補填モードでの補填処理を実行する場合に、貯留手段に貯留された遊技球の貯留を解除して当該貯留手段から放出された遊技球を大入賞口に入賞させ、入賞数に応じて払い出された賞球を補填に充当するようにしているため、損失補填モードでの遊技性が向上し、より多くの遊技者に受けいれられやすい遊技機とすることが可能となる。
【００４５】
また、本実施形態における前述した各手段としては、例えば、ＣＰＵからなる中央演算処理装置と、ＲＯＭやＲＡＭなどからなる記憶装置と、その他必要に応じて設定される回路などを備えた制御回路を構成し、前記ＲＯＭに記憶されたプログラムに基づいて、賞球払出手段、遊技実行制御手段、選択手段、表示手段、損失補填制御手段等の機能を実行することが望ましい。
【００４６】
以下、本発明に係る遊技機の好適な実施形態を、図面に基づいて説明する。なお、以下では遊技機をパチンコ遊技機としている。
【００４７】
［遊技機の構成］
遊技機について、図１〜図４を用いて説明する。図１は本実施形態におけるパチンコ遊技機１０の概観を示す斜視図、図２は同パチンコ遊技機１０の概観を示す分解斜視図、図３は本実施形態におけるパチンコ遊技機１０の概観を示す正面図である。また、図４は電飾ユニット５３の説明図である。
【００４８】
図１及び図２に示すように、パチンコ遊技機１０は、前面に開口１２ａが形成された本体枠１２と、その本体枠１２における開口１２ａの内部に配設される各種の部品と、本体枠１２の前方に開閉自在に軸着された前面扉１１とから構成されている。そして、前面扉１１の上部略半分は、開閉自在に軸着された扉１１ａが設けられている。そして、図１に示すように、通常の遊技状態では、前面扉１１は開口１２ａを前面から閉鎖し、扉１１ａも閉鎖された状態で遊技が行われる。また、前面扉１１の下方前面には、上皿２０、下皿２２、発射ハンドル２６等が配設されている。
【００４９】
また、上皿２０の上面右側の遊技者が操作し易い位置には、操作パネル２７が配設されている。この操作パネル２７は、詳細は後述するが、本実施形態における遊技者による損失補填モード、すなわち保険機能の作動を設定（図１６参照）するものである。
【００５０】
本体枠１２の開口１２ａ内部には、画像を表示する表示手段としての液晶表示装置３２と遊技盤１４とスペーサ３１等が配設されている。なお、遊技盤１４、スペーサ３１、液晶表示装置３２以外の各種の部品（図示せず）については、理解を容易にするために説明を省略する。
【００５１】
本実施形態に係る遊技盤１４は、その全部が透光性を有する板形状の樹脂(透光性を有する部材)によって形成されている。この透光性を有する部材としては、例えば、アクリル樹脂、ポリカーボネート樹脂、メタクリル樹脂など各種の材質が該当する。また、遊技盤１４は、その正面（前面）側に、発射された遊技球が転動する遊技領域１５を有している。この遊技領域１５はガイドレール３０に囲まれ、遊技球が転動可能な領域であり、ガイドレール３０の外側には遊技領域外域１６が形成されている。なお、遊技領域１５には図２に示すように、複数の遊技釘１３が打ちこまれている。なお、本実施形態では、遊技釘１３は各種の遊技部材の一つに含まれるものとしている。また、図２においては複数の遊技釘１３を一部省略して示している。
【００５２】
遊技に関する演出画像を表示する表示手段の一例である液晶表示装置３２は、前記スペーサ３１を挟んで遊技盤１４の背後に設けられている。なお、本実施形態では、遊技盤１４の全部が透光性を有する材料で形成されているが、透光性を有する材料が遊技盤１４の一部に用いられていてもよく、その場合、液晶表示装置３２は遊技盤１４の透光性を有する部材の背後に配置されることになる。
【００５３】
そして、この液晶表示装置３２は、液晶ディスプレイパネル等で構成され、遊技に関する画像の表示を可能とする表示領域３２ａを有しており、この表示領域３２ａは、スペーサ３１及び遊技領域１５の全部又は一部、あるいは遊技領域外域１６の全部又は一部を透して遊技者側から視認可能となっている。なお、表示領域３２ａに表示される遊技に関する画像とは、演出用の演出画像、装飾用の装飾画像等の各種の画像を指す。
【００５４】
スペーサ３１は、これも前述の透光性を有する部材で形成されているが、前記液晶表示装置３２の視認性を向上させるために、少なくとも遊技盤１４の遊技領域１５に相当する大きさの孔部３１ａを形成している。
【００５５】
このように、本実施形態においては、遊技盤１４における透光性領域の背後に液晶表示装置３２などの表示手段を設けており、例えば、遊技釘１３の植設領域や役物、装飾部材といった遊技部材を設ける領域を大きくできるため、レイアウトの自由度も更に大きくすることが可能となっている。
【００５６】
遊技盤１４の外側となる扉１１ａの所定位置には、発光表示手段としての装飾ランプ１３３ａ，１３３ｂが配設されており、遊技状態に合わせた所定の発光態様の表示を行う。
【００５７】
また、この扉１１ａには、ガラス板などからなる透光性を有する保護板１９が取付けられている。この保護板１９は、扉１１ａが閉鎖された状態で遊技盤１４の前面に対面するように配設されている。また、保護板１９の上方位置には、スピーカ４６Ｒ，４６Ｌが左右に配設されている。
【００５８】
発射ハンドル２６は本体枠１２に対して回動自在に設けられている。また、発射ハンドル２６の裏側には、駆動装置である発射ソレノイド（図示せず）が設けられている。さらに、発射ハンドル２６の周縁部には、タッチセンサ（図示せず）が設けられている。このタッチセンサが遊技者により触接されたときには、遊技者により発射ハンドル２６が握持されたと検知される。発射ハンドル２６が遊技者によって握持され、かつ、時計回り方向へ回動操作されたときには、その回動角度に応じて発射ソレノイドに電力が供給され、上皿２０に貯留された遊技球が遊技盤１４に順次発射され、遊技が進められる。
【００５９】
次に、図３及び図４を参照しながら、パチンコ遊技機１０の構成についてさらに詳細に説明する。なお、図３を用いたパチンコ遊技機１０の概観の以下の説明では、図１及び図２を用いた説明と重複する部分を省略することがある。なお、図３においては遊技釘１３を省略している。
【００６０】
図３に示すように、遊技盤１４には、２つのガイドレール３０（３０ａ及び３０ｂ）、第１遊技部材５７、第２遊技部材５５、通過ゲート５４、羽根部材２３が付設された始動口２５、貯留部２８、開閉自在のシャッタ４０を備えた大入賞口３９、一般入賞口５６ａ，５６ｂ，５６ｃ，５６ｄ、アウト口３８が設けられている。
【００６１】
遊技盤１４の左側に設けられている２つのガイドレール３０は、遊技領域１５を区画（画定）する外レール３０ａと、その外レール３０ａの内側に配設された内レール３０ｂとから構成される。発射された遊技球は、遊技盤１４上に設けられたガイドレール３０に案内されて、遊技領域１５の上部に移動し、複数の遊技釘１３（図２参照）、遊技領域１５上に設けられた第１遊技部材５７等との衝突により、その進行方向を変えながら遊技領域１５の下方に向かって流下する。そして、遊技領域１５に設けられた各種入賞口（始動口２５、大入賞口３９、一般入賞口５６ａ〜５６ｄ等）に入賞しなかった遊技球は、遊技領域１５の下端中央に設けられたアウト口３８で回収されて遊技盤１４の外部に排出される。
【００６２】
第１遊技部材５７が、左右端が中央付近よりも下方に位置する傘状に形成されているのに対し、第２遊技部材５５は左右端が中央付近よりも僅かに上方に位置して湾曲形成されたステージ状に構成されており、遊技領域１５を転動した遊技球の一部は、この第２遊技部材５５に一旦受け止められて、第２遊技部材５５の中央部に凹状に形成された案内溝５５ａを通過して、始動口２５に向かって流下するようになっている。
【００６３】
始動口２５は本実施形態における特定の入賞領域を有する入賞口に規定されており、遊技領域１５の略中央に設けられた第２遊技部材５５の下部かつ大入賞口３９の上方に設けられるとともに、ソレノイドなどで駆動する可変部材としての羽根部材２３が付設されている。そして、遊技領域１５に設置された第２遊技部材５５や遊技釘１３との衝突しながら転動した遊技球がこの始動口２５へ入賞すると、後述する特別図柄ゲーム（可変表示ゲーム）が開始される。すなわち、始動口２５は特別図柄ゲームの実行開始の契機となる特定の入賞口である。
【００６４】
また、本実施形態においては、上記特別図柄ゲームにおいて特別遊技への移行抽選が行なわれており、この特別遊技には、大別して大当たり遊技と小当たり遊技の２種類の特別遊技が用意されている。なお、特別遊技への移行抽選及び大当たり遊技と小当たり遊技とについては後に詳述する。
【００６５】
さらに、本実施形態においては、始動口２５の下部かつ大入賞口３９の上部に、貯留部２８が配設されている。この貯留部２８は、遊技領域１５を流下転動する遊技球を、所定個数（約２０個）一時貯留することができるとともに、所定の条件に基づいて、貯留部２８の底部に設けられた可動部材２８ｂ（図１８（ｂ）参照）を可動させることにより、遊技球の貯留を解除することが可能な構成としている。すなわち、貯留部２８は、本実施形態における遊技球の貯留手段として機能するものである。なお、貯留部２８への遊技球の貯留及び解除については、これもまた詳細は後述する。
【００６６】
また、貯留部２８の下部に設けられた大入賞口３９には、その前面側（前方）に開閉自在なシャッタ４０が設けられている。このシャッタ４０は、後に詳述する特別図柄表示器３３（図４）において特別図柄として特定の数字図柄がそれぞれ停止表示され、停止表示態様が、遊技状態が特別遊技（大当たり遊技又は小当たり遊技）に移行されることを示す態様であった場合に、遊技球を受け入れやすい開放状態となるように駆動され、その結果、大入賞口３９は、遊技球を受け入れやすい開放状態となる。
【００６７】
一方、シャッタ４０の背面側（後方）に設けられた大入賞口３９の内部には、カウントセンサ１０４（図５参照）が設けられ、遊技球を所定個数（例えば１０個）検知するか、又は、所定時間（例えば３０秒）が経過するまでシャッタ４０が開放状態に駆動される。そして、開放状態において大入賞口３９への所定数の遊技球の入賞又は所定時間の経過のいずれかの条件が成立すると、シャッタ４０は閉鎖状態になるように駆動される。その結果、大入賞口３９は、遊技球を受け入れ難い閉鎖状態となる。
【００６８】
なお、大入賞口３９が遊技球を受け入れやすい状態となっている開放状態から大入賞口３９が遊技球を受け入れ難い状態となっている閉鎖状態までの遊技をラウンドゲームと呼び、シャッタ４０は、ラウンドゲーム時に開放し、各ラウンドゲーム間では閉鎖することになる。本実施形態では、このラウンドゲームを複数回実行する特別遊技を大当たり遊技といい、他方、ラウンドゲームの実行回数は１回で、なおかつ、シャッタ４０の開放時間が相対的に大当たり遊技の実行時と比較して短時間（例えば、０．５秒）に設定される特別遊技を小当たり遊技として差別化を図っている。また、ラウンドゲームは、“１”ラウンド、“２”ラウンド等のラウンド数として計数されるため、大当たり遊技における１回目のラウンドゲームを第１ラウンド、２回目を第２ラウンドと呼称する場合がある。
【００６９】
続いて、開放状態から閉鎖状態に駆動されたシャッタ４０は、所定時間（例えば、１秒）経過後に再度開放状態に駆動される。なお、第１ラウンドのラウンドゲームから、次のラウンドゲームに継続して進むことができない（最終の）ラウンドゲームが終了するまで継続した遊技状態を大当たり遊技状態という。大当たり遊技状態は、多数の賞球を獲得可能であることから、遊技者にとって極めて有利な遊技状態である。
【００７０】
また、前述した始動口２５、一般入賞口５６ａ，５６ｂ，５６ｃ，５６ｄ、大入賞口３９に遊技球が入賞又は通過したときには、それぞれの入賞口の種類に応じて予め設定されている数の遊技球が遊技球貯留部である上皿２０又は下皿２２に賞球として払い出される。
【００７１】
また、扉１１ａの下端部近傍には電飾ユニット５３が設けられている。本実施形態に係る電飾ユニット５３は、図４に示すように、その中央に配置された表示器ケース３７に、始動口２５に対応した特別図柄表示器３３を収容している。特別図柄表示器３３は、７セグメントＬＥＤで構成されており、この７セグメントＬＥＤは、始動口２５に遊技球が入賞した場合に、特別図柄表示器３３の７セグメントＬＥＤが点灯・消灯することによって、“０”から“９”までの１０個の数字図柄が、特別図柄として変動表示される。以上のように、特別図柄が変動表示された後、停止表示され、その結果によって遊技状態が異なってくるゲームを、本実施形態では特別図柄ゲーム又は可変表示ゲームという。
【００７２】
表示器ケース３７の左右両側には、この表示器ケース３７を挟んで始動口２５に対応した特別図柄保留ランプ３３ａ〜３３ｄが設けられている。この特別図柄保留ランプ３３ａ〜３３ｄは、特別図柄表示器３３において、既に特別図柄の変動表示中に遊技球が前記始動口２５へ入賞した場合に、変動表示中の特別図柄が停止表示されるまで、始動口２５への遊技球の入賞に基づく特別図柄の変動表示の実行を保留する回数（所謂、「可変表示ゲームの保留数」）を点灯によって表示するものである。そして、変動表示していた特別図柄が停止表示されると、保留されていた特別図柄の変動表示が開始される。
【００７３】
具体的に説明すると、特別図柄保留ランプ３３ａ〜３３ｄは、特別図柄の変動表示の実行が保留された回数に対応して左から順番に点灯され、特別図柄の変動表示が一旦停止表示され、次の保留されていた特別図柄の変動表示が開始されると、それに対応した特別図柄保留ランプは消灯される。なお、特別図柄の変動表示の実行が保留される回数には上限が設定されており、例えば、前記始動口２５への遊技球の入賞に対して４回（個）を上限として特別図柄の変動表示は保留される。
【００７４】
また、液晶表示装置３２の表示領域３２ａにおいても、前述した始動口２５に遊技球が入賞した場合には、本実施形態における可変表示ゲームが特別図柄の変動表示の開始にあわせて、例えば数字などを含む演出用の装飾図柄の変動表示により開始される。また、特別図柄に関する変動表示中に遊技球が始動口２５へ入賞した場合には、変動表示中の演出用の装飾図柄が停止表示されるまで、始動口２５への遊技球の入賞に基づく演出用の装飾図柄の変動表示（つまり、可変表示ゲーム）の実行（開始）は保留される。その後、変動表示していた演出用の装飾図柄が停止表示された場合には、保留されていた演出用の装飾図柄の変動表示が開始される。つまり、液晶表示装置３２の表示領域３２ａにおいて行われる演出用の装飾図柄の変動表示と、特別図柄の変動表示とは同期しており、その変動開始及び変動停止は同じタイミングで行なわれることとなる。
【００７５】
すなわち、本実施形態では、前記特別図柄及び装飾図柄は、共に識別情報として機能するものであり、特別図柄の変動表示から停止表示までを単位ゲームとした前記特別図柄ゲームと、特別図柄と同期して行われる装飾図柄の変動表示から停止表示までを単位ゲームとした可変表示ゲームが同時に実行される構成としている。そして、この可変表示ゲームを行う遊技を通常遊技と呼ぶ。
【００７６】
また、遊技領域１５の略中央の左側に設けられた通過ゲート５４（図３参照）を遊技球が通過すると、特別図柄表示器３３の右側に設けられた普通図柄表示器３５において、普通図柄を示す“○”、“×”等の記号で構成された２つの表示用ランプが、交互に点灯・消灯を繰り返すことによって変動表示される。
【００７７】
さらに、表示器ケース３７の下側には、普通図柄保留ランプ３５ａ〜３５ｄが設けられている。この普通図柄保留ランプ３５ａ〜３５ｄは、前述した普通図柄（本実施形態では“○”、“×”等の記号）の変動中に、前記通過ゲート５４を遊技球が通過した場合に、点灯又は消灯によって、保留されている普通図柄の変動表示の実行可能な回数（所謂、「普通図柄の保留球数」）を表示する。つまり、普通図柄保留ランプ３５ａ〜３５ｄは、保留された普通図柄の変動表示の実行回数に対応して、左から順番に点灯され、変動が停止表示されると、次の保留されていた普通図柄の変動表示が開始され、それに対応した普通図柄保留ランプは消灯される。なお、普通図柄の変動表示の実行が保留される回数には上限が設定されており、例えば、４回（個）を上限として保留される。
【００７８】
この普通図柄が所定の図柄、例えば“○”として停止表示されたときには、始動口２５の左右の両側に可変部材として設けられた羽根部材（所謂「普通電動役物」）２３が閉鎖状態から開放状態に変動して、始動口２５に遊技球が入りやすくなる。また、羽根部材２３を開放状態とした後、所定の時間が経過したときには、羽根部材２３を閉鎖状態として、始動口２５に遊技球が入りにくくなるようにする。以上のように、普通図柄が変動表示された後、停止表示され、その結果によって羽根部材２３の開放・閉鎖状態が異なってくるゲームを「普通図柄ゲーム」という。
【００７９】
以上説明してきたように、本実施形態に係るパチンコ遊技機１０では、前記始動口２５へ遊技球が入賞したことを契機として、大当たり遊技へ移行するか否かの大当たり抽選処理が行なわれるとともに、その抽選結果に基づいて、前記特別図柄表示器３３において特別図柄の変動表示及び停止表示が行われる。
【００８０】
そして、液晶表示装置３２の表示領域３２ａにおいては、停止表示される特別図柄に対応した複数の装飾図柄が、変動表示された後に所定の組み合わせで停止表示される可変表示ゲームが実行されるとともに、この可変表示ゲームに伴う演出画像（識別情報を含む）などを用いた演出表示等が行われる。そして、抽選結果が当選の場合、通常遊技から大当たり遊技に移行するのである。
【００８１】
ここで、本実施形態においては、役物の一例として、特別遊技の実行時に用いられる大入賞口３９の役物が記載されているが、本発明はこれに限定されず、遊技盤上に２つ以上のいかなる数の役物が設けられていてもよい。
【００８２】
なお、本実施形態において、画像を表示する部分として液晶ディスプレイパネルからなる液晶表示装置３２を採用したが、これに限らず、例えば、ＣＲＴ（Cathode  Ray  Tube）を含むブラウン管、ＥＬ（Electro  Luminescence）、プラズマ等、他の形態からなるものであってもよい。
【００８３】
［遊技機の電気的構成］
本実施形態におけるパチンコ遊技機１０の制御回路について、図５を用いて説明する。図５は、本実施形態におけるパチンコ遊技機１０の制御回路を示すブロック図である。
【００８４】
本実施形態におけるパチンコ遊技機１０の制御回路は、主に、遊技制御手段としての主制御回路６０と、演出制御手段としての副制御回路２００とから構成される。主制御回路６０は、遊技全般の制御を行うものであり、副制御回路２００は、遊技の進行に応じた演出の制御（例えば、画像表示制御、音声出音制御、装飾ランプ制御等）を行うものに位置付けられている。
【００８５】
主制御回路６０は、図示するように、制御手段であるメインＣＰＵ６６、メインＲＯＭ（読み出し専用メモリ）６８、メインＲＡＭ（読み書き可能メモリ）７０を備えている。この主制御回路６０は、遊技の進行を制御する。
【００８６】
メインＣＰＵ６６には、メインＲＯＭ６８、メインＲＡＭ７０等が接続されており、このメインＲＯＭ６８に記憶されたプログラムに従って、各種の処理を実行する機能を有する。このように、このメインＣＰＵ６６は、例えば、賞球払出手段、遊技実行制御手段、大当たり抽選手段、さらには損失補填制御手段として機能するなど、後述する各種の手段として機能することとなる。
【００８７】
メインＲＯＭ６８には、メインＣＰＵ６６によりパチンコ遊技機１０の遊技の進行を制御するためのプログラムが記憶されており、その他には、乱数抽選によって大当たり判定をする際に参照される特別遊技抽選テーブル（図６参照）等の各種のテーブルが記憶されている。
【００８８】
メインＲＡＭ７０は、メインＣＰＵ６６の一時記憶領域として種々のフラグや変数の値を記憶する機能を有する。
【００８９】
また、この主制御回路６０は、所定の周波数のクロックパルスを生成するリセット用クロックパルス発生回路６２、電源投入時においてリセット信号を生成する初期リセット回路６４、後述する副制御回路２００に対してコマンドを供給するためのシリアル通信用ＩＣ７２を備えている。また、これらのリセット用クロックパルス発生回路６２、初期リセット回路６４、シリアル通信用ＩＣ７２は、メインＣＰＵ６６に接続されている。
【００９０】
そして、このリセット用クロックパルス発生回路６２は、後述するシステムタイマ割込処理を実行するために、所定の周期（例えば２ミリ秒）毎にクロックパルスを発生する。なお、シリアル通信用ＩＣ７２は、各種のコマンドを副制御回路２００（副制御回路２００に含まれる各種の手段）へ送信する送信手段に相当する。
【００９１】
さらに、主制御回路６０には、電飾ユニット５３（図４参照）の各種表示器、表示ランプを制御する表示器制御回路７６を備えている。この表示器制御回路７６はメインＣＰＵ６６からの指示に従い、パチンコ遊技機１０の遊技状態に応じて、特別図柄表示器３３、普通図柄表示器３５の変動の制御（例えば、変動の開始及び所定の図柄での表示停止）を行い、さらに、特別図柄保留ランプ３３ａ〜３３ｄ、普通図柄保留ランプ３５ａ〜３５ｄの点灯及び消灯の制御を行うものである。
【００９２】
また、主制御回路６０には、各種の装置が接続されている。例えば、図示するように、カウントセンサ１０４、一般入賞球センサ１０６，１０８，１１０，１１２、通過球センサ１１４、始動口入賞球センサ１１７、普通電動役物ソレノイド１１８、大入賞口ソレノイド１２０、可動部材ソレノイド１２１、操作パネルセンサ１２５が接続されている。
【００９３】
カウントセンサ１０４は、大入賞口３９における特定領域とは異なる一般領域に設けられている。このカウントセンサ１０４は、大入賞口３９における一般領域を遊技球が通過した場合に、所定の検知信号を主制御回路６０に供給する。
【００９４】
一般入賞球センサ１０６，１０８，１１０，１１２は、一般入賞口５６ａ，５６ｂ，５６ｃ，５６ｄにそれぞれ設けられている。この一般入賞球センサ１０６，１０８，１１０，１１２は、一般入賞口５６ａ，５６ｂ，５６ｃ，５６ｄの各々へ遊技球が入賞した場合に、所定の検知信号を主制御回路６０に供給する。
【００９５】
通過球センサ１１４は、通過ゲート５４に設けられている。この通過球センサ１１４は、通過ゲート５４を遊技球が通過した場合に、所定の検知信号を主制御回路６０に供給する。
【００９６】
遊技球検出手段である始動口入賞球センサ１１７は、始動口２５に設けられている。始動口入賞球センサ１１７は、始動口２５に遊技球が入賞したことを検出して、所定の検知信号を主制御回路６０に供給する。
【００９７】
普通電動役物ソレノイド１１８は、リンク部材（図示せず）を介して羽根部材２３に接続されており、メインＣＰＵ６６から供給される駆動信号に応じて、羽根部材２３を開放状態又は閉鎖状態とする。
【００９８】
大入賞口ソレノイド１２０は、シャッタ４０に接続されており、メインＣＰＵ６６から供給される駆動信号に応じて、シャッタ４０を駆動させ、大入賞口３９を開放状態又は閉鎖状態とする。
【００９９】
可動部材ソレノイド１２１は、貯留部２８の底部に設けられている可動部材２８ｂに接続されており、メインＣＰＵ６６から供給される駆動信号に応じて、可動部材２８ｂを駆動させ、貯留部２８へ遊技球を貯留可能としたり貯留解除したりする。
【０１００】
操作パネルセンサ１２５は、操作パネル２７に接続されており、操作パネル２７に設けられている各種操作スイッチ（図１６参照）を遊技者が操作したことを検知すると、所定の検知信号を主制御回路６０に供給する。
【０１０１】
主制御回路６０には、払出・発射制御回路１２６が接続されている。この払出・発射制御回路１２６には、遊技球の払出を行なう払出装置１２８、遊技球の発射を行なう発射装置１３０、カードユニット１５０が接続されている。
【０１０２】
また、本実施形態における払出・発射制御回路１２６は、遊技場で遊技者が購入可能な所定の記憶媒体（磁気カード、ＩＣチップが埋め込まれたコイン等）又は紙幣等の現金をカードユニット１５０に投入して、遊技者が所定の貸し玉ボタン（図示せず）を操作すると、カードユニット１５０から供給される貸し球制御信号を受け取り、払出装置１２８に対して所定の信号を送信することにより、払出装置１２８に所定金額（例えば、千円単位）の貸し玉をパチンコ遊技機１０の上皿２０に払い出させる。つまり、遊技球の貸出制御を実行するものである。なお、カードユニット１５０は、遊技者が投入した前記記憶媒体や現金等の残り（残度数）があった場合は、遊技者が返却ボタン（図示せず）を操作することにより、残度数が記憶された記憶媒体を遊技者に返却する。
【０１０３】
また、払出・発射制御回路１２６は、発射装置１３０に対して発射信号を供給することにより、遊技球を発射させる制御も行なうものである。
【０１０４】
また、発射装置１３０には、前述した発射ソレノイド、タッチセンサ等の遊技球を発射させるための装置が備えられている。発射ハンドル２６が遊技者によって握持され、かつ、時計回り方向へ回動操作されたときには、その回動角度に応じて発射ソレノイドに電力が供給され、上皿２０に貯留された遊技球が発射ソレノイドにより遊技盤１４に順次発射される。
【０１０５】
一方、シリアル通信用ＩＣ７２には、副制御回路２００が接続されている。この副制御回路２００は、主制御回路６０から供給される各種のコマンドに応じて、液晶表示装置３２における表示制御、スピーカ４６Ｒ，４６Ｌから発生させる音声に関する制御、装飾ランプ１３３ａ，１３３ｂの制御等を行なう。
【０１０６】
なお、本実施形態においては、主制御回路６０から副制御回路２００に対してコマンドを供給するとともに、副制御回路２００から主制御回路６０に対して信号を供給できないように構成したが、これに限らず、副制御回路２００から主制御回路６０に対して信号を送信できるように構成してもよい。
【０１０７】
副制御回路２００は、可変表示制御手段、音発生制御手段等の各種制御手段として機能するサブＣＰＵ２０６、記憶手段としてのプログラムＲＯＭ２０８、ワークＲＡＭ２１０、液晶表示装置３２における表示制御を行うための表示制御回路２５０、スピーカ４６Ｒ，４６Ｌから発生させる音声に関する制御を行う音声制御回路２３０、装飾ランプ１３３ａ，１３３ｂの制御を行うランプ制御回路２４０から構成されている。そして、副制御回路２００は、主制御回路６０からの指令に応じて遊技の進行に応じた演出を実行する。
【０１０８】
サブＣＰＵ２０６には、プログラムＲＯＭ２０８、ワークＲＡＭ２１０等が接続されている。サブＣＰＵ２０６は、このプログラムＲＯＭ２０８に記憶されたプログラムに従って、各種の処理を実行する機能を有する。特に、サブＣＰＵ２０６は、後述するように、主制御回路６０から供給される各種コマンド信号に従って、各種演出制御を行う。そして、サブＣＰＵ２０６は、後述する各種の手段として機能することとなる。
【０１０９】
プログラムＲＯＭ２０８には、パチンコ遊技機１０の特別図柄の変動表示に関連してサブＣＰＵ２０６により実行される液晶表示装置３２の画像表示に伴う複数種類の演出画像データや、大当たり遊技中のラウンドゲームに関連して実行される複数種類の演出画像データが記憶されており、その他には、演出表示期間を定めた時間テーブル等各種のテーブルも記憶されている。
【０１１０】
ワークＲＡＭ２１０は、サブＣＰＵ２０６の一時記憶領域として種々のフラグや変数の値を記憶する機能を有する。例えば、リーチ演出時間を制御するためのタイマ変数、演出パターンを選択するための演出表示選択用乱数カウンタ等、各種の変数等が位置付けられている。ここで、本実施形態におけるリーチとは、変動中の一の装飾図柄が、他の停止表示されている装飾図柄と同一図柄で停止表示されると、前述の大当たり遊技に移行する状態を指す。通常、変動中の装飾図柄が停止するまでの間、液晶表示装置３２上では、このリーチ状態に応じた特別のリーチ演出表示がなされる。
【０１１１】
表示制御回路２５０は、サブＣＰＵ２０６から供給される、特別図柄の変動表示に関連して実行される演出表示の進行に伴う複数種類の演出パターンや、大当たり遊技中のラウンドゲームに関連して実行される複数種類の演出パターン等の演出画像データ等を、液晶表示装置３２に画像を表示させる制御を行うものである。
【０１１２】
音声制御回路２３０は、サブＣＰＵ２０６から供給される音声発生命令に応じて、スピーカ４６Ｒ，４６Ｌから音声を発生させるものである。
【０１１３】
ランプ制御回路２４０は、サブＣＰＵ２０６から供給されるプログラムＲＯＭ２０８に記憶されたプログラムに従って、装飾ランプ１３３ａ，１３３ｂの発光制御を行うものである。
【０１１４】
なお、本実施形態においては、パチンコ遊技機１０の制御回路において、遊技制御手段としての主制御回路６０と、演出制御手段としての副制御回路２００を別々に構成しているが、主制御回路６０と副制御回路２００とを同じ基板で構成してもかまわない。
【０１１５】
なお、本実施形態においては、プログラム、テーブル等を記憶する記憶手段として、主制御回路６０ではメインＲＯＭ６８を、副制御回路２００ではプログラムＲＯＭ２０８を用いるように構成したが、これに限らず、制御手段を備えたコンピュータにより読み取り可能な記憶媒体であれば別態様であってもよく、例えば、ハードディスク装置、ＣＤ−ＲＯＭ及びＤＶＤ−ＲＯＭ、ＲＯＭカートリッジ等の記憶媒体に、プログラム、テーブル等が記録されていてもよい。また、これらのプログラムは、予め記録されているものでなくとも、電源投入後にこれらのプログラムをダウンロードし、主制御回路６０ではメインＲＡＭ７０、副制御回路２００ではワークＲＡＭ２１０等に記録されるものでもよい。なお、本実施形態においては、メインＣＰＵ６６の一時記憶領域としてメインＲＡＭ７０を、サブＣＰＵ２０６の一時記憶領域としてワークＲＡＭ２１０を用いているが、これに限らず、読み書き可能な記憶媒体であればよい。
【０１１６】
［遊技機の動作］
ここで、本実施形態におけるパチンコ遊技機１０の遊技について簡潔に説明する。パチンコ遊技機１０の遊技状態は、大別して通常遊技と特別遊技に区別され、通常遊技（大当たり抽選を行いながら遊技球を消費する遊技であり、大当たり遊技に比べて遊技者には相対的に不利な遊技）と、特別遊技の一つである大当たり遊技（遊技者にとって短時間で大量の遊技球の獲得が期待できる、所謂遊技者にとって有利な特別遊技）と、同じく特別遊技の一つである小当たり遊技（当選することにより大入賞口３９を短時間開放して、遊技球の入賞機会を提供する特別遊技）が設けられている。
【０１１７】
さらに、上記大当たり遊技においては、後述の特別図柄制御処理において抽選された、前記特別図柄表示器３３に停止表示される特定の数字図柄により、１５Ｒ確変大当たり遊技、２Ｒ確変大当たり遊技（所謂「突確」と呼ばれる大当たり遊技）又は１０Ｒ通常大当たり遊技の３種類の大当たり遊技が決定する。
【０１１８】
そして、前記３種類の大当たり遊技（１５Ｒ確変大当たり遊技、２Ｒ確変大当たり遊技又は１０Ｒ通常大当たり遊技）は、後述の特別図柄記憶チェック処理（図１０参照）において、特別遊技抽選テーブル（図６参照）を参照し、通常遊技の通常モード又は確変モードに応じてそれぞれ異なる抽選確率で抽選される。
【０１１９】
このとき、大当たり遊技に当選すると、前記特別図柄表示器３３（図４参照）に停止表示される特別図柄は、１５Ｒ確変大当たり遊技の場合は、例えば、“７”の特別図柄が表示され、２Ｒ確変大当たり遊技の場合は、例えば、“３”の特別図柄が表示される。また、１０Ｒ通常大当たり遊技の場合は、例えば、“５”の特別図柄が表示される。
【０１２０】
さらに、前記３種類の大当たり遊技のいずれか一つに当選した場合に、前記特別図柄表示器３３（図４参照）に特別図柄が停止表示されるのと同じタイミングで、液晶表示装置３２の表示領域３２ａにおいても、識別情報としての専用の装飾図柄（例えば、数字図柄の三つ揃い）によって、１５Ｒ確変大当たり遊技の場合は、例えば、“７７７”などの特定の数字の三つ揃いの装飾図柄が表示され、２Ｒ確変大当たり遊技の場合は、例えば、“３３３”などの特定の数字の三つ揃いの装飾図柄が表示される。また、１０Ｒ通常大当たり遊技の場合は、例えば、“４４４”などの特定の数字の三つ揃いの装飾図柄が表示される。
【０１２１】
また、前記３種類の大当たり遊技のいずれかが実行されると、３種類の大当たり遊技にそれぞれ応じた所定の回数を上限として（２Ｒ確変大当たり遊技では２回、１５Ｒ確変大当たり遊技では１５回、１０Ｒ通常大当たり遊技では１０回）、大入賞口３９に付設されたシャッタ４０（図３参照）が、所定時間（例えば、３０秒）の開放を繰り返すラウンドゲームを実行することにより、遊技領域１５に発射された遊技球の大入賞口３９への入賞が容易となり、遊技者は短時間で大量の賞球を獲得することが可能となる。かかる大当たり遊技の獲得（大当たり遊技への当選）は、一般の遊技者の最大の目的であり、パチンコ遊技の醍醐味ともいえる。
【０１２２】
なお、本実施形態では、当選した大当たり遊技の種類に応じて、ラウンドゲームの実行回数を、１５ラウンド、１０ラウンド、２ラウンドとしているが、ラウンドゲームの実行回数はこれに限定されるものではない。例えば、ラウンド数抽選手段（後述するメインＣＰＵ６６を含む主制御回路６０（図５参照））による抽選処理により、“１”ラウンドから“１５”ラウンドまでの間から選択されるなど、任意の実行回数であって構わない。
【０１２３】
そして、本実施形態における特別遊技の一つである小当たり遊技に当選すると、前記特別図柄表示器３３（図４参照）に停止表示される特別図柄は、例えば、“０”の特別図柄が表示されるとともに、上記大当たり遊技と同様に、液晶表示装置３２の表示領域３２ａにおいても、識別情報としての専用の装飾図柄によって、例えば、“１２３”などの特定の数字の連番等の装飾図柄が表示される。
【０１２４】
また、上記小当たり遊技が実行されると、１回限り大入賞口３９に付設されたシャッタ４０（図３参照）が、前記大当たり遊技と比較すると相対的に短時間（例えば、０．５秒）開放することにより、遊技領域１５に発射された遊技球が大入賞口３９へ入賞する機会を提供することになる。しかし、この小当たり遊技における大入賞口３９の開放時間では、大入賞口３９の上部から流下してきた遊技球が数個入賞する可能性があるだけなので、遊技者に対しての期待度の低いおまけ的要素の強いものである。
【０１２５】
他方、本実施形態における通常遊技は、通常モード（通常低確率遊技状態）、確変モード（特別高確率遊技状態）、時短モード（特別遊技モード）の３種類の遊技モードの下で実行される。ここで、前記３種類の通常遊技（通常モード、確変モード、時短モード）のモードの移行及びそれぞれの特徴を、以下に簡単に説明する。
【０１２６】
通常モードは、パチンコ遊技機１０における基本モードであり、パチンコ遊技機１０に電源を投入すると、この通常モードから遊技が開始される。なお、この通常モードは、確変モードにおける大当たりの抽選確率よりも大当たりの抽選確率が低確率に設定される。
【０１２７】
確変モードは、通常遊技において、前記３種類の大当たり遊技のうち１５Ｒ確変大当たり遊技又は２Ｒ確変大当たりに当選すると、当該大当たり遊技の終了後に移行する特別高確率遊技状態であり、この確変モードの特徴は、通常モードにおける大当たりの抽選確率よりも確変モードにおける大当たりの抽選確率の方が相対的に高確率に設定される。具体的に説明すると、本実施形態においては、通常モードにおける大当たりの抽選確率は「１／３００」であるのに対して、確変モードにおける大当たりの抽選確率は「１／３０」と１０倍の抽選確率が設定（図６、特別遊技抽選テーブル参照）されている。
【０１２８】
つまり、確変モードでは通常モードと比較して、１０倍の頻度で大当たり遊技が発生することになるので遊技者にとって有利な遊技状態であり、特に、１５Ｒ確変大当たり遊技は、ラウンドゲームが最大１５ラウンド継続されることで、遊技者が獲得できる賞球数が最も多いため、遊技者に最も有利な遊技といえる。一方、２Ｒ確変大当たり遊技は、ラウンドゲームが２ラウンドしかなく、さらに、ラウンドゲームの実行中に開放される大入賞口の開放時間も短時間（例えば、１秒）に設定されているため、大当たり遊技終了後の通常遊技が確変モードになるとはいえ、遊技者にとっては、１５Ｒ確変大当たり遊技と比べると、好ましい大当たり遊技であるとは言えない。つまり、本実施形態における２Ｒ確変大当たり遊技は、大当たり遊技の実行時に遊技者が獲得できる賞球は殆ど期待できないが、当該大当たり遊技の終了後に通常遊技が確変モードに設定されるため、所謂突然確変（略して、突確）と称される大当たり遊技である。
【０１２９】
最後に、時短モード（特別遊技モード）は、前記３種類の大当たり遊技のいずれに当選した場合でも、当該大当たり遊技の終了後に設定される遊技モードである。この通常遊技における時短モードとは、特別図柄及び普通図柄が変動表示を開始して停止表示されるまでの変動時間が、通常モードよりも短く設定され、さらに、前記普通図柄の抽選の結果が“当たり”の場合（つまり、前述した普通図柄表示器３５（図４参照）において、表示用ランプが“○”で停止表示された場合）、始動口２５に付設された羽根部材２３の開放時間が通常モードよりも長く設定される。なお、かかる制御を、本実施形態では、「電チューサポート」と呼ぶ場合がある。
【０１３０】
このように、「電チューサポート」が実行されると、始動口２５に遊技球が入賞し易くなるので、単位時間当たりの大当たり抽選回数が通常モードに比べて著しく増加し、かつ始動口２５への入賞に対する賞球の払い出しも増加するため、遊技球の目減りが少なく（所謂「球持ち」がよい状態となる）、遊技者にとって有利な状態といえる。
【０１３１】
また、この時短モードは、前記３種類の大当たり遊技に対応して、継続期間が定められる。大当たり遊技が１０Ｒ通常大当たり遊技の場合は、当該大当たり遊技終了後に、特別図柄の変動回数（例えば、５０回又は１００回）が継続期間として設定される。一方、大当たり遊技が１５Ｒ確変大当たり遊技又は２Ｒ確変大当たり遊技の場合の継続期間は、当該大当たり遊技終了後、実質的に次回の大当たり遊技への当選が期待できる特別図柄の変動回数（例えば、１００００回）に設定される。
【０１３２】
以上説明したように、本実施形態においては、「通常モード」、「確変モード」、「通常モード＋時短モード」及び「確変モード＋時短モード」の４つの遊技モードの下で通常遊技が行われることになり、パチンコ遊技機１０の遊技状態の変化（つまり、前記３種類の大当たり遊技の発生等）に応じて遊技状態が変化してゆくことになる。
【０１３３】
さらに、上述した３種類（通常モード、確変モード、時短モード）の遊技モードに加え、本実施形態における要部といえる損失補填モードが設けられている。この損失補填モードは、詳細は後述の損失補填制御処理（図１３参照）で説明するが、遊技者が操作パネル２７（図１参照）において、所定の操作を行なうことで選択されるものであり、一度選択された損失補填モードは、所定回数（例えば３００回）以上の可変表示ゲームを消化して、上述した小当たり遊技の当選した場合に、この小当たり遊技にともなう大入賞口３９の開放とタイミングを合わせて、大入賞口３９の上部に設置されている貯留部２８の遊技球の貯留を解除して、貯留部２８に貯留されていた遊技球を大入賞口３９へ入賞可能とすることにより、賞球としての所定数の遊技球を遊技者に還元する処理が実行された場合、或いは、所定回数（例えば３００回）未満の可変表示ゲームの実行回数の場合でも、所定の条件、例えば、所定のラウンド数以上の大当たり遊技に当選した場合に解除される。言い換えると、遊技者に十分に利益を還元できる遊技者に有利な遊技状況になった場合に終了されるものである。
【０１３４】
すなわち、本実施形態における損失補填モードは、遊技者が当該パチンコ遊技機１０で遊技を行なう場合に、遊技者が任意に選択可能であり、遊技者が損失補填モードを選択してからの可変表示ゲームの実行回数が、所定回数（例えば３００回）を超えて消化している状態において、遊技者にとって有利な遊技状態である大当たり遊技に当選しない場合、言い換えると、遊技者にとって不利な所謂「ハマリ」といわれる遊技状態が長く継続した場合に、その間に遊技者が所有する遊技球から所定数（例えば３０個）を上限として遊技球を徴収するとともに、貯留部２８に貯留した所定数の遊技球を、大入賞口３９への入賞を計るために、小当たり遊技の当選に伴う大入賞口３９の開放タイミングにあわせて貯留解除して、入賞した遊技球の個数に応じた賞球を遊技者に還元するものである。つまり、スロットマシン等でよく知られている利益の受けられない遊技者を救済するための保険機能に相当するものである。
【０１３５】
以下、上述した遊技状態の変化に合わせてパチンコ遊技機１０で実行される処理を図７〜図１４に示す。
【０１３６】
［メイン処理］
図７に示すように、最初に、主制御回路６０のメインＣＰＵ６６は、ＲＡＭアクセス許可、バックアップ復帰処理、作業領域を初期化等の初期設定処理を実行する（ステップＳ１１）。そして、詳しくは図９を用いて後述するが、特別図柄ゲームの進行、特別図柄表示器３３に表示される特別図柄、液晶表示装置３２において、始動口２５に対応した装飾図柄による演出表示に関する特別図柄制御処理を実行する（ステップＳ１２）。そして、詳しくは、図１１を用いて後述するが、普通図柄ゲームの進行、普通図柄表示器３５に表示される普通図柄に関する普通図柄制御処理を実行する（ステップＳ１３）。さらに、これも詳細は図１３を用いて後述するが、本実施形態における損失補填モードの選択、解除及び損失補填を制御する損失補填制御処理（ステップＳ１４）を実行する。このように、メイン処理においては、ステップＳ１１の初期設定処理が終了した後、ステップＳ１２〜ステップＳ１４の処理を繰り返し実行することとなる。
【０１３７】
［システムタイマ割込処理］
また、メインＣＰＵ６６は、メイン処理を実行している状態であっても、メイン処理を中断させ、システムタイマ割込処理を実行する場合がある。リセット用クロックパルス発生回路６２から所定の周期（例えば２ミリ秒）毎に発生されるクロックパルスに応じて、以下のシステムタイマ割込処理を実行する。このシステムタイマ割込処理について図８を用いて説明する。
【０１３８】
図８に示すように、最初に、メインＣＰＵ６６は、特別遊技抽選用乱数値等の各抽選値を更新する乱数更新処理を実行する（ステップＳ２１）。そして、メインＣＰＵ６６は、始動口２５等への遊技球の入賞を検知する入力検出処理を実行する（ステップＳ２２）。この処理においては、メインＣＰＵ６６は、各種の入賞口に遊技球が入賞したことを条件として、遊技球を払出す（賞球する）旨のデータをメインＲＡＭ７０の所定領域に記憶することとなる。
【０１３９】
さらに、この入力検出処理（ステップＳ２２）において、メインＣＰＵ６６は、始動口２５への遊技球の入賞を検出すると、前記乱数更新処理（ステップＳ２１）において更新された特別遊技抽選用乱数値を読み出して、最大４個を保留個数の上限として、メインＲＡＭ７０の所定の領域に記憶する。そして、ここでメインＲＡＭ７０の所定の領域に記憶された始動口２５への遊技球の入賞記憶と特別遊技抽選用乱数値は、後述の特別図柄記憶チェック処理（図１０参照）の特別遊技抽選処理（ステップＳ６４）において参照されることとなる。
【０１４０】
ステップＳ２３においては、タイマ更新処理を実行する。この処理において、メインＣＰＵ６６は、主制御回路６０と副制御回路２００との同期をとるための待ち時間タイマ、大当たり遊技が発生した際に開放する大入賞口３９の開放時間を計測するための大入賞口開放タイマ等、各種のタイマの更新処理を実行する。そして、この処理が終了するとステップＳ２４へ処理を移す。
【０１４１】
ステップＳ２４においては出力処理を実行する。この処理において、メインＣＰＵ６６は、メインＲＡＭ７０の所定の領域に記憶されている各種の出力要求に基づいて駆動制御するための信号をソレノイド、モータ等に供給する。すなわち、後述する各処理において、メインＣＰＵ６６は、各種駆動遊技部材（パチンコ遊技機１０の遊技領域１５に配設されており、なおかつ遊技状態に応じて、その形態を変化させる遊技部材）に対する信号出力要求がメインＲＡＭ７０の所定領域に記憶された場合は、それに応じた信号を出力する。例えば、始動口２５に付設されている羽根部材２３を開放又は閉鎖するための普通電動役物ソレノイド１１８、大入賞口３９に付設されているシャッタ４０を開放又は閉鎖するための大入賞口ソレノイド１２０、貯留部２８の底面に設けられている可動部材２８ｂに付設されている可動部材ソレノイド１２１等の各ソレノイドの駆動要求があった場合、制御信号を出力して、各種駆動遊技部材を駆動させる処理を行なう。
【０１４２】
さらに、この出力処理において、メインＣＰＵ６６は、電飾ユニット５３（図４参照）に設置されている各種表示器類（始動口２５に対応した特別図柄表示器３３、普通図柄表示器３５、始動口２５に対応した特別図柄保留ランプ３３ａ〜３３ｄ、普通図柄保留ランプ３５ａ〜３５ｄ）のそれぞれに対応した図柄の変動要求又は停止要求、或いはランプの点灯要求又は消灯要求がメインＲＡＭ７０の所定の領域に記憶されていた場合は、それに対応した電飾ユニット５３（図４参照）に設置されている各種表示器類の、図柄の変動又は停止、或いはランプの点灯又は消灯を制御する。そして、この処理が終了した場合には、ステップＳ２５に処理を移す。
【０１４３】
ステップＳ２５においては、コマンド出力処理を実行する。この処理において、メインＣＰＵ６６は、各種のコマンド信号を副制御回路２００に供給する。これらの各種のコマンド信号としては、例えば、液晶表示装置３２の表示領域３２ａにおいて、導出表示されるデモ表示コマンド、大当たり抽選手段による抽選結果を表示するための装飾図柄の種類を指定する導出図柄指定コマンド等が含まれている。そして、この処理が終了した場合にはステップＳ２６に処理を移す。
【０１４４】
また、本実施形態においては、このコマンド出力処理において、後述の損失補填制御処理（図１３参照）により、遊技者により損失補填モードが選択された場合や、特別図柄記憶チェック処理（図１０参照）により、損失補填実行までの可変表示ゲームが記憶更新された場合は、液晶表示装置３２の表示領域３２ａにおいて、図１６に示す損失補填選択画像１００ａや損失補填表示画像１００ｂ、１００ｃを表示させるための損失補填表示コマンドも含まれることとなる。
【０１４５】
ステップＳ２６の処理において、メインＣＰＵ６６は、後述の損失補填制御処理（図１３参照）により、メインＲＡＭ７０の所定の領域に損失補填モード作動中のフラグがセットされている場合は、各種の入賞口に遊技球が入賞したことで払出される賞球に応じた遊技球の徴収処理を実行する。つまり、賞球に対して所定の数（例えば、１個）の遊技球を徴収して、メインＲＡＭ７０の所定の領域に加算して記憶するのである。但し、この遊技球の徴収処理は、所定数（例えば、３０個）の遊技球の数を上限として実行されるものであり、既に所定数（例えば、３０個）の遊技球が、メインＲＡＭ７０の所定の領域に蓄積されて記憶されていた場合は、損失補填モードが作動中であってもそれ以上の徴収処理は実行されない。そして、この処理が終了するとステップＳ２７へ処理を移す。
【０１４６】
ステップＳ２７において、メインＣＰＵ６６は、賞球払出処理を実行する。この賞球払出処理では、各種の入賞口に遊技球が入賞したことを契機として、予め定められた数の賞球払出を行うための賞球制御コマンド信号を払出・発射制御回路１２６へ供給する。なお、上述した徴収処理（ステップＳ２６）において、賞球の徴収が実行された場合は、予め定められた数の賞球から徴収された数を差し引いた数の賞球制御コマンド信号が払出・発射制御回路１２６へ供給されることとなる。そして、この処理が終了すると本サブルーチンを終了し、割込発生前のアドレスへ復帰し、メイン処理を実行させる。
【０１４７】
ここで、本実施形態においては、前記乱数更新処理（ステップＳ２１）において所定の範囲（例えば１〜３００００）内で更新された乱数値を、前記始動口２５へ遊技球が入賞したタイミングで読み出し、特別遊技の移行抽選にかかる乱数値として用いるようにしている。しかし、乱数値の取得手段は、本実施形態の構成に限定されるものではなく、例えば、専用の乱数発生器等を主制御回路６０に備え、そこで所定の範囲（例えば１〜３００００）内でランダムに更新される乱数値を、前記始動口２５へ遊技球が入賞したタイミングで読み出し、特別遊技の移行抽選にかかる乱数値として用いるようにしてもよい。
【０１４８】
［特別図柄制御処理］
図７のステップＳ１２において実行される特別図柄制御処理について、図９を用いて説明する。
【０１４９】
最初に、ステップＳ３１の処理において、メインＣＰＵ６６は、特別図柄制御フラグをロードする。この処理において、メインＣＰＵ６６は、特別図柄制御フラグを読み出しステップＳ３２に処理を移す。
【０１５０】
ステップＳ３２においては、メインＣＰＵ６６は、特別図柄制御フラグが（００）であるか否かを判断し、特別図柄制御フラグが（００）でない場合には、ステップＳ３４に処理を移す。また、特別図柄制御フラグが（００）の場合には、ステップＳ３３へ処理を移し、特別図柄記憶チェック処理を行う。この特別図柄記憶チェック処理では、詳細は後述するが、特別図柄の保留個数を調べ、保留個数がある場合に、“大当たり”の抽選、特別図柄の変動開始、特別図柄変動タイマのセット等を行い、特別図柄制御フラグに次のステップの処理要求である（０１）をセットして処理を終了する。
【０１５１】
ステップＳ３４においては、メインＣＰＵ６６は、特別図柄制御フラグが（０１）であるか否かを判断し、特別図柄制御フラグが（０１）でない場合には、ステップＳ４０に処理を移す。また、特別図柄制御フラグが（０１）の場合には、特別図柄変動時間監視処理を行う。すなわち、ステップＳ３５において、特別図柄変動タイマがタイムアップ（つまり“０”）か否かを判断し、タイムアップしていなければ処理を終了する。そしてタイムアップした場合は、メインＣＰＵ６６は、ステップＳ３６へ処理を移す。
【０１５２】
ステップＳ３６においては、メインＣＰＵ６６は、特別図柄停止処理を行なう。この特別図柄停止処理では、メインＣＰＵ６６は、始動口２５に対応して変動表示中の特別図柄の変動停止要求を、メインＲＡＭ７０の所定の領域に記憶する。そして、この処理でメインＲＡＭ７０の所定の領域に記憶された特別図柄の変動停止要求は、前述したシステムタイマ割込処理の出力処理（図８、ステップＳ２４）において電飾ユニット５３（図４参照）へ出力され、始動口２５に対応して変動表示中の特別図柄が変動停止される。この処理が終了するとステップＳ３７へ処理を移す。
【０１５３】
そして、メインＣＰＵ６６は、ステップＳ３７において特別遊技に当選したか否かを判断し、大当たりでなければステップＳ３９に処理を移す。一方、大当たりであった場合は、ステップＳ３８の大入賞口開放待ち処理を行う。大入賞口開放待ち処理では、メインＣＰＵ６６は、特別図柄制御フラグに大入賞口開放待ちを示す値（０２）をセットし、待ち時間（例えば１秒）を大入賞口開放待ちタイマにセットして本サブルーチンを終了する。
【０１５４】
ステップＳ３９においては、メインＣＰＵ６６は、特別図柄制御フラグをクリア（つまり特別図柄記憶チェック処理を要求する値（００）をセットする）して、特別図柄制御処理を終了する。
【０１５５】
ステップＳ４０においては、メインＣＰＵ６６は、特別図柄制御フラグが（０２）であるか否かを判断し、特別図柄制御フラグが（０２）でない場合には、ステップＳ４３に処理を移す。また、特別図柄制御フラグが（０２）の場合には、大入賞口開放処理を行う。大入賞口開放処理では、まず、メインＣＰＵ６６は、ステップＳ４１で大入賞口開放待ちタイマがタイムアップ（つまり“０”）かを判断し、タイムアップしていなければ処理を終了する。そしてタイムアップした場合は、ステップＳ４２で大入賞口開放処理を行う。この大入賞口開放処理では、メインＣＰＵ６６は、まず大入賞口３９の開放をセット（メインＲＡＭ７０の所定の領域に、シャッタ４０による大入賞口ソレノイド１２０の開放指示を記憶する）し、次に大入賞口開放タイマに大入賞口３９の開放時間（例えば、２Ｒ確変大当たり遊技の場合は１秒、１０Ｒ通常大当たり遊技又は１５Ｒ確変大当たり遊技の場合は３０秒、小当たり遊技の場合は０．５秒）をセットする。
【０１５６】
さらに、本実施形態においては、ステップＳ４２の大入賞口開放処理において、メインＣＰＵ６６は、貯留部２８への遊技球の貯留解除要求がメインＲＡＭ７０の所定の領域に記憶されていた場合は、貯留部２８への遊技球の貯留を解除するための可動部材２８ｂの動作指示を、可動部材ソレノイド１２１（図５参照）に対して出力する。これにより、貯留部２８の底面に設けられた可動部材２８ｂが所定の可動態様で動作することにより、貯留部２８に貯留された遊技球の貯留解除が実行されることになる。すなわち、本実施形態においては、小当たり遊技の当選時における大入賞口３９の開放と、貯留部２８の遊技球の貯留解除は同期を取って実行されることとなる。そして、この処理が終了すると、特別図柄制御フラグに大入賞口開放監視処理を示す値（０３）をセットして本サブルーチンを終了する。
【０１５７】
ステップＳ４３においては、メインＣＰＵ６６は、特別図柄制御フラグが（０３）であるか否かを判断し、特別図柄制御フラグが（０３）でない場合には、ステップＳ４９に処理を移す。また、特別図柄制御フラグが（０３）の場合には、大入賞口開放監視処理を行う。大入賞口開放監視処理では、まずメインＣＰＵ６６は、ステップＳ４４で大入賞口開放タイマがタイムアップ（つまり“０”）したか、又は、大入賞口３９へ規定の個数の遊技球が入賞したか否かを判断する。そして大入賞口開放タイマのタイムアップ、同時に、大入賞口３９へ規定の個数の遊技球が入賞していなければ処理を終了する。そして入賞口開放タイマのタイムアップ、又は、大入賞口３９へ規定の個数の遊技球が入賞のいずれか一方の条件を満たしたことで、ステップＳ４５へ処理を移行する。
【０１５８】
ステップＳ４５においては、メインＣＰＵ６６は、大入賞口閉鎖処理（メインＲＡＭ７０の所定の領域に、シャッタ４０による大入賞口ソレノイド１２０の閉鎖指示を記憶する）を実行してステップＳ４６へ処理を移す。
【０１５９】
ステップＳ４６においては、メインＣＰＵ６６は、大入賞口開放回数（所謂ラウンド数）をカウントし、規定回数（１０Ｒ通常大当たり遊技では１０回、１５Ｒ確変大当たり遊技では１５回、２Ｒ確変大当たり遊技では２回、小当たり遊技では１回）に達したか否かを判断し、規定回数に達した場合はステップＳ４８で特別図柄制御フラグに大当たり終了処理を要求する値（０４）をセットし処理を終了する。また、メインＣＰＵ６６は、大入賞口開放回数が規定回数に達していなかった場合は、ステップＳ４７において、メインＣＰＵ６６は、大入賞口開放待ち処理を行う。大入賞口開放待ち処理では、特別図柄制御フラグに再度大入賞口３９の開放を要求する値（０２）をセットし、待ち時間（例えば１秒）を大入賞口開放待ちタイマにセットして処理を終了する。
【０１６０】
ステップＳ４９においては、メインＣＰＵ６６は、大当たり終了処理を行う。大当たり終了処理では、大当たり図柄が１５Ｒ確変大当たり又は２Ｒ確変大当たりの場合は、通常遊技を「確変モード＋時短モード」とするとともに、時短モードの継続期間として、所定の特別図柄の変動回数（例えば、１００００回）を、メインＲＡＭ７０の所定の領域に記憶する。一方、大当たり図柄が１０Ｒ通常大当たりの場合には、通常遊技を「通常モード＋時短モード」とするとともに、所定の特別図柄の変動回数（例えば、１００回）を、メインＲＡＭ７０の所定の領域に記憶する。
【０１６１】
そして、最後にメインＣＰＵ６６は、特別図柄制御フラグをクリア（つまり特別図柄記憶チェック処理を要求する値（００）をセットする）して特別図柄制御処理を終了する。
【０１６２】
［特別図柄記憶チェック処理］
図９のステップＳ３３において実行される特別図柄記憶チェック処理について図１０を用いて説明する。
【０１６３】
最初に、メインＣＰＵ６６は、ステップＳ６１において、始動口２５に遊技球が入賞した場合に保留された特別図柄の保留個数が“０”であるか否かを判断し、特別図柄の保留個数が“０”の場合にはステップＳ６２に処理を移し、特別図柄の保留個数が“０”でない場合（つまり、特別図柄の変動要求がある場合）には、ステップＳ６３に処理を移す。
【０１６４】
ステップＳ６２においては、メインＣＰＵ６６は、デモ表示処理を実行する。この処理において、メインＣＰＵ６６は、デモ表示を行わせるための要求をメインＲＡＭ７０の所定の領域に記憶する。これにより、前述したシステムタイマ割込処理（図８参照）のコマンド出力処理（ステップＳ２５）において、主制御回路６０から副制御回路２００へデモ表示コマンド信号が送られる。これによって、副制御回路２００において、客待ち状態（所定の待機状態）となったことを認識させるための客待デモ画像９２（図２０参照）が、液晶表示装置３２の表示領域３２ａにおいて表示されることになる。そして、この処理が終了した場合には、特別図柄記憶チェック処理を終了する。
【０１６５】
ここで、上記デモ表示について、図２０を参照して説明する。図２０は、本実施形態におけるデモ表示の一例である。すなわち、図２０（ａ）に示すように、液晶表示装置３２の表示領域３２ａにおいて、遊技者に対して当該パチンコ遊技機１０での遊技の実行をアピールするために、キャラクタ等を用いた客待デモ画像９２を表示するとともに、その客待デモ画像９２と重ならない位置に損失補填モードの案内画像１０１も同時に表示するのである。そして、図２０（ｂ）に示すように、損失補填モードの案内画像１０１では、本実施形態における損失補填モードの概要をメッセージ画像として遊技者に表示することにより、損失補填モードの機能を遊技者に解り易く案内する構成としている。
【０１６６】
図１０を用いた特別図柄記憶チェック処理の説明に戻る。
【０１６７】
ステップＳ６３においては、メインＣＰＵ６６は、特別図柄変動時間管理を要求する値（０１）を、特別図柄制御フラグにセットし、ステップＳ６４に処理を移す。
【０１６８】
ステップＳ６４においては、特別遊技抽選処理を実行する。この処理において、メインＣＰＵ６６は、パチンコ遊技機１０の現在の遊技モード（通常モード、確変モード）に基づいて、抽選値が異なる複数の特別遊技抽選テーブル（図６参照）から１つの特別遊技抽選テーブルを選択する。そして、始動口２５へ遊技球が入賞した時に抽出された特別遊技抽選用乱数値と、前記選択された特別遊技抽選テーブルの抽選値を参照して、特別遊技（１５Ｒ確変大当たり遊技、２Ｒ確変大当たり遊技、１０Ｒ通常大当たり遊技、小当たり遊技）又は“はずれ”を決定する。
【０１６９】
ここで、本実施形態に係る特別遊技抽選テーブルについて説明する。図６に示すように、例えば、通常モードにおける特別遊技抽選テーブルと確変モードにおける特別遊技抽選テーブルでは、乱数値を１〜３００００に設定した中で、大当たり遊技（１０Ｒ通常大当たり遊技、１５Ｒ確変大当たり遊技、２Ｒ確変大当たり遊技）の抽選値の合計は、通常モードでは１００／３００００に設定されているのに対し、確変モードでは１０００／３００００と設定されている。
【０１７０】
すなわち、１０Ｒ通常大当たり遊技、１５Ｒ確変大当たり遊技、ラウンドゲーム数が少なく、大当たり遊技の継続期間が短い大当たり遊技である２Ｒ確変大当たり遊技（所謂「突確」）の大当たり抽選値の合計、つまり、大当たり遊技に当選する確率は、通常モードでは１／３００であるのに対し、確変モードでは１０／３００（１／３０）に設定されている。つまり、遊技モード（通常モードと確変モード）によって、大当たり遊技に移行する確率が異なっており、通常遊技が確変モードの下で行われている場合には、大当たり遊技に移行する確率は、通常モードよりも１０倍向上することとなるので、確変モードは、遊技者にとって極めて有利な状態といえる。
【０１７１】
さらに、本実施形態においては、通常モードと確変モードとのどちらの特別遊技抽選テーブルでも、乱数値を１〜３００００に設定した中で、小当たり遊技の抽選値は１０００／３００００（つまり、１／３０）に設定されている。つまり、上述した大当たり遊技への抽選値の合計とは異なり、通常モード及び確変モードのいずれの遊技モードにおいても、小当たり遊技への当選確率は変わらない。
【０１７２】
すなわち、本実施形態における小当たり遊技は、前述したように、大入賞口３９の開放回数（つまり、ラウンドゲームの実行回数）は１回のみであり、さらに、その開放時間も０．５秒と短時間のため、大入賞口３９への遊技球の入賞を保障するものではなく、上記大当たり遊技と比較して遊技者に対する有利度合いの低い、所謂「おまけ」的な特別遊技のため、遊技モードが通常モード及び確変モードのいずれの場合でも当選確率は変わらないようにしている。
【０１７３】
図１０に示す特別図柄記憶チェック処理の説明に戻る。
【０１７４】
上述した特別遊技抽選テーブルを用いたステップＳ６４の特別遊技抽選処理が終了すると、メインＣＰＵ６６は処理をステップＳ６５に移す。
【０１７５】
ステップＳ６５においては、メインＣＰＵ６６は、特別遊技に当選したか否かの判断処理を行う。この処理において、メインＣＰＵ６６は、前述したステップＳ６４の特別遊技抽選処理における抽選結果が特別遊技に当選していた場合には、ステップＳ６６に処理を移し、特別遊技に当選していなかった場合には、ステップＳ６７に処理を移す。
【０１７６】
ステップＳ６６においては、特別遊技図柄である特別図柄の決定処理を実行する。この処理において、メインＣＰＵ６６は、ステップＳ６４で決定された特別遊技の種類に対応して表示される特別図柄を決定する。例えば、「１５Ｒ確変大当たり遊技」に対しては“７”、「２Ｒ確変大当たり遊技」に対しては“３”、「１０Ｒ通常大当たり遊技」に対しては“５”、「小当たり遊技」に対しては“０”というように、それぞれの特別遊技に対応して特別図柄は決定される。そして、決定された特別図柄は、メインＲＡＭ７０の所定の領域に記憶される。これによって、電飾ユニット５３（図４参照）に設置されている特別図柄表示器３３において、特別遊技に対応した特別図柄が導出表示されることとなる。
【０１７７】
さらに、本実施形態においては、このステップＳ６６の処理で、メインＣＰＵ６６は、ステップＳ６４で決定された大当たりの種類（２Ｒ確変大当たり遊技、１５Ｒ確変大当たり遊技、１０Ｒ通常大当たり遊技）と大当たりの発生回数とを、メインＲＡＭ７０の所定の領域に、「大当たり遊技の履歴」として記憶更新する。そして、この処理が終了した場合には、ステップＳ６８に処理を移す。
【０１７８】
ステップＳ６７においては、はずれ図柄の決定処理を実行する。この処理において、メインＣＰＵ６６は、はずれ図柄に対応した特別図柄（例えば“７”、“３”、“５”、“０”以外の数字）を決定し、メインＲＡＭ７０の所定領域に記憶する。これによって、電飾ユニット５３（図４参照）に設置されている特別図柄表示器３３において、はずれに対応した特別図柄が導出表示されることとなる。この処理が終了した場合には、ステップＳ６８に処理を移す。
【０１７９】
ステップＳ６８では、遊技状態判別処理を行う。この遊技状態判別処理において、メインＣＰＵ６６は、現在の通常遊技が、時短モードであるか否か判断し、時短モードの場合は、ステップＳ７０へ処理を移行する。一方、現在の通常遊技が時短モードでないと判断した場合は、ステップＳ６９において、通常モードの特別図柄変動時間（例えば１０秒）を、特別図柄変動タイマにセットし、メインＲＡＭ７０の所定の領域に記憶する。そして、ステップＳ７１へ処理を移行する。
【０１８０】
ステップＳ７０においては、メインＣＰＵ６６は、時短モードの特別図柄変動時間（通常モードの特別図柄変動時間より短い時間、例えば５秒）を、特別図柄変動タイマにセットし、メインＲＡＭ７０の所定の領域に記憶する。また、このステップＳ７０の処理において、メインＣＰＵ６６は、時短モードの継続期間としてメインＲＡＭ７０の所定の領域に記憶された特別図柄の変動回数（例えば、５０回）を「−１」減算して記憶更新する。そして、特別図柄の変動回数が“０”になった場合、つまり、時短モードの継続期間が終了した場合は、時短モードをリセット（メインＲＡＭ７０の所定の領域に記憶された時短モードのフラグをクリア）して、ステップＳ７１へ処理を移行する。
【０１８１】
ステップＳ７１においては、メインＣＰＵ６６は、遊技球が入賞した始動口２５に対応した特別図柄表示器３３（図４参照）に対し、変動表示を開始させる要求をメインＲＡＭ７０の所定の領域に記憶してステップＳ７２へ処理を移す。この処理によって、前記ステップＳ６９及びステップＳ７０で特別図柄変動タイマにセットされた変動時間にあわせて、始動口２５に対応した特別図柄表示器３３において特別図柄の変動表示が行なわれ、所定時間経過後（特別図柄変動タイマがタイムアップした後）、前記ステップＳ６６及びステップＳ６７で決定された“特別遊技”又は“はずれ”の特別図柄が停止表示されることとなる。
【０１８２】
ステップＳ７２においては、メインＣＰＵ６６は、液晶表示装置３２の表示領域３２ａに演出表示される装飾図柄や演出時間の決定処理を行う。この処理において、メインＣＰＵ６６は、ステップＳ６６又はステップＳ６７で記憶された“特別遊技”又は“はずれ”のデータ、そしてステップＳ６９又はステップＳ７０で記憶された特別図柄変動時間等のデータ、液晶表示装置３２の表示領域３２ａに演出表示される装飾図柄や演出時間を決定し、メインＲＡＭ７０の所定の領域に記憶して、ステップＳ７３に処理を移す。
【０１８３】
なお、上述したステップＳ７２処理でメインＲＡＭ７０の所定の領域に記憶された液晶表示装置３２の表示領域３２ａに演出表示される装飾図柄（識別情報）や演出時間は、システムタイマ割込処理（図８参照）のコマンド出力処理（ステップＳ２５）により、主制御回路６０のメインＣＰＵ６６から副制御回路２００のサブＣＰＵ２０６に導出図柄指定コマンドとして供給される。これによって、副制御回路２００において、始動口２５に対応した装飾図柄が液晶表示装置３２の表示領域３２ａに導出表示されるとともに、装飾図柄の変動時間も決定される。つまり、電飾ユニット５３（図４参照）において、始動口２５に対応した特別図柄表示器３３で導出表示される特別図柄の変動時間と、液晶表示装置３２に導出表示される装飾図柄の変動時間は、同期して行われることとなる。
【０１８４】
ステップＳ７３の処理において、メインＣＰＵ６６は、損失補填が実行されるまでの可変表示ゲーム減算処理を実行する。この処理においてメインＣＰＵ６６は、メインＲＡＭ７０の所定の領域に、損失補填作動中のフラグがセットされているか否かを判断して、セットされていた場合は、同じくメインＲＡＭ７０の所定の領域に記憶されている可変表示ゲームの実行回数を−１して記憶更新する。そして、記憶更新した可変表示ゲームの実行回数を液晶表示装置３２の表示領域３２ａにおいて、損失補填表示画像１００ｃ（図１６（ｄ）参照）を表示する要求をメインＲＡＭ７０の所定の領域に記憶する。そして、この処理が終了するとステップＳ７４に処理を移す。
【０１８５】
なお、この可変表示ゲーム減算処理では、可変表示ゲームの実行回数が“０”になるまで減算処理が実行されるものであり、“０”になった場合はそれ以上の減算処理は実行しない。また、可変表示ゲームの実行回数が“０”の場合は、液晶表示装置３２の表示領域３２ａにおいて、損失補填表示画像１００ｄ（図１６（ｅ）参照）を表示する要求がメインＲＡＭ７０の所定の領域に記憶されることとなる。
【０１８６】
そして、上記可変表示ゲーム減算処理で参照される、損失補填作動中のフラグや可変表示ゲームの実行回数は、後述の損失補填制御処理（図１３参照）において、遊技者により損失補填モードが選択された場合に設定されるものであり、本実施形態においては、詳細は後述するが、遊技者により損失補填モードが選択された場合は、損失補填を実行するまでの可変表示ゲームの実行回数が、本特別図柄記憶チェック処理を実行する毎に１回ずつ減算されて記憶更新されることとなる。
【０１８７】
また、ステップＳ７３の処理でメインＲＡＭ７０の所定の領域に記憶された、可変表示ゲームの実行回数を損失補填表示画像１００ｃ（図１６（ｄ）参照）又は損失補填表示画像１００ｄ（図１６（ｅ）参照）として表示する要求は、上述した導出図柄指定コマンドと同様に、システムタイマ割込処理（図８参照）のコマンド出力処理（ステップＳ２５）により、主制御回路６０のメインＣＰＵ６６から副制御回路２００のサブＣＰＵ２０６に損失補填表示コマンドとして供給され、副制御回路２００において、損失補填表示画像１００（図１５（ｂ）参照）の表示制御が実行されることになる。
【０１８８】
ステップＳ７４の処理において、メインＣＰＵ６６は、上記ステップＳ７３の可変表示ゲーム減算処理の結果を参照して、可変表示ゲームの実行回数が“０”になったか否かを判断して、“０”でない場合は本サブルーチンを終了する。一方、“０”の場合は、ステップＳ７５において、メインＣＰＵ６６は、上記ステップＳ６４の特別遊技抽選処理において小当たり遊技に当選したか否かを判断して、当選していた場合はステップＳ７６へ処理を移す。また当選していなかった場合は本サブルーチンを終了する。
【０１８９】
ステップＳ７６の処理において、メインＣＰＵ６６は、本実施形態における損失補填開始のフラグをセットしてメインＲＡＭ７０の所定の領域に記憶して、本サブルーチンを終了する。なお、ここでメインＲＡＭ７０の所定の領域に記憶された損失補填開始のフラグは、損失補填制御処理（図１３参照）のステップＳ１６４の処理で参照され、貯留部２８に貯留されている遊技球の貯留解除が決定されることとなる。
【０１９０】
すなわち、本実施形態においては、可変表示ゲームの実行回数が“０”で、なおかつ、小当たり遊技に当選した場合に、貯留部２８に貯留された遊技球の貯留が解除される構成としているため、小当たり遊技による大入賞口３９の開放とタイミングを合わせて貯留されていた所定数の遊技球を大入賞口３９へ入賞可能として、それに応じた賞球数により遊技者に対する損失補填とするのである。
【０１９１】
［普通図柄制御処理］
図７のステップＳ１３において実行されるサブルーチンについて図１１を用いて説明する。
【０１９２】
最初に、メインＣＰＵ６６は、ステップＳ１０１において、普通図柄制御フラグをロードする。この処理において、メインＣＰＵ６６は、普通図柄制御フラグを読み出す。この処理が終了した場合には、ステップＳ１０２に処理を移す。
【０１９３】
ステップＳ１０２においては、メインＣＰＵ６６は、普通図柄制御フラグが普通図柄記憶チェック要求を示す値（００）であるか否か判断し、普通図柄制御フラグが（００）でない場合はステップＳ１０４へ処理を移す。また、普通図柄制御フラグが（００）の場合は、ステップＳ１０３の普通図柄記憶チェック処理を行う。この普通図柄記憶チェック処理では、詳しくは図１２を用いて説明するが、メインＣＰＵ６６は、普通図柄の保留個数を調べ、保留個数がある場合に、普通図柄の当り判定、普通図柄の変動開始、普通図柄の変動タイマのセット等を行い、普通図柄制御フラグに次のステップの処理要求である（０１）をセットして処理を終了する。
【０１９４】
ステップＳ１０４においては、メインＣＰＵ６６は、普通図柄制御フラグが（０１）であるか否かを判断し、普通図柄制御フラグが（０１）でない場合は、ステップＳ１０７へ処理を移す。また、普通図柄制御フラグが（０１）である場合は、ステップＳ１０５において、普通図柄変動タイマがタイムアップ（つまり“０”）したかを判断し、タイムアップしていなかった場合は処理を終了する。一方、普通図柄変動タイマがタイムアップした場合は、メインＣＰＵ６６は、ステップＳ１０６において、普通図柄停止処理を行なう。この普通図柄停止処理においては、メインＣＰＵ６６は、普通図柄表示器３５に対して変動を停止する要求をセットし、メインＲＡＭ７０の所定の領域に記憶する。これにより、普通図柄表示器３５において、前記普通図柄記憶チェック処理で判定された、普通図柄の“当り”又は“はずれ”の判定結果が表示されることとなる。この処理が終了すると、メインＲＡＭ７０の所定の領域に記憶されている普通図柄保留個数を“１”減少するように記憶更新する。そして、普通図柄制御フラグに（０２）をセットして処理を終了する。
【０１９５】
ステップＳ１０７においては、メインＣＰＵ６６は、普通図柄制御フラグが（０２）であるか否かを判断し、普通図柄制御フラグが（０２）でない場合は、ステップＳ１１１へ処理を移す。また、普通図柄制御フラグが（０２）であった場合は、ステップＳ１０８へ処理を移し、普通図柄が当りか否かを判断する。そして、メインＣＰＵ６６は、普通図柄が当りであると判断した場合は、ステップＳ１０９の普通電動役物開放処理に処理を移す。一方、メインＣＰＵ６６は、普通図柄が当りではないと判断すると、ステップＳ１１０において、普通図柄制御フラグに普通図柄記憶チェックを要求する値（００）をセットして処理を終了する。
【０１９６】
ステップＳ１０９における普通電動役物開放処理では、メインＣＰＵ６６は、普通電動役物である羽根部材２３の開放処理（メインＲＡＭ７０の所定の領域に普通電動役物の開放を記憶する）を行う。さらに遊技台の遊技状態に合わせて、普通電動役物（羽根部材２３）の開放時間（例えば、遊技モードが時短モードの場合は３秒、確変モード又は通常モードの場合は０．２秒）を普通電動役物開放タイマにセットし、普通図柄制御フラグに（０３）をセットして処理を終了する。
【０１９７】
ステップＳ１１１においては、メインＣＰＵ６６は、普通図柄制御フラグが（０３）であるか否かを判断し、普通図柄制御フラグが（０３）でない場合は、ステップＳ１１４へ処理を移す。また、普通図柄制御フラグが（０３）であった場合は、ステップＳ１１２へ処理を移し、普通電動役物開放タイマがタイムアップ（つまり“０”）したかを判断する。そして、普通電動役物開放タイマがタイムアップしていない場合は処理を終了する。一方、普通電動役物開放タイマがタイムアップしたと判断した場合は、ステップＳ１１３の普通電動役物閉鎖処理において、普通電動役物である羽根部材２３を閉鎖状態（メインＲＡＭ７０の所定の領域に普通電動役物の閉鎖を記憶する）にさせる。そして普通図柄制御フラグに（０４）をセットして処理を終了する。
【０１９８】
ステップＳ１１４においては、メインＣＰＵ６６は、普通図柄制御フラグをクリア（つまり普通図柄の記憶チェックを要求する値“００”をセット）して処理を終了する。
【０１９９】
［普通図柄記憶チェック処理］
図１１のステップＳ１０３において実行されるサブルーチンについて図１２を用いて説明する。
【０２００】
最初に、ステップＳ１２１において、メインＣＰＵ６６は、普通図柄保留個数が“０”であるか否かの判断を行い、普通図柄保留個数が“０”であると判断した場合には、普通図柄記憶チェック処理を終了する。尚、この普通図柄保留個数はメインＲＡＭ７０の所定の領域に記憶され、通過ゲート５４を遊技球が通過したことを検出した場合に、所定個数（例えば“４”）を上限として“１”増加して記憶更新され、普通図柄ゲームにおける普通図柄の可変表示が終了したときには、“１”減算して記憶更新される。一方、メインＣＰＵ６６は、普通図柄の保留個数が“０”でないと判断した場合には、ステップＳ１２２において、普通図柄制御フラグに普通図柄変動タイマ監視要求の値“０１”をセットし、ステップＳ１２３へ処理を移す。
【０２０１】
ステップＳ１２３においては、普通図柄当り判断処理を実行する。この処理において、メインＣＰＵ６６は、普通図柄始動領域通過時に（通過ゲート５４を遊技球が通過することによって）抽出された普通図柄当り判定用乱数値と、メインＲＯＭ６８に記憶されている普通図柄当り判定値とを参照する。そして、メインＣＰＵ６６は、参照した結果、普通図柄当り判定用乱数値が普通図柄当り判定値と一致する場合には、当り図柄（例えば、“○”図柄）を示すデータをメインＲＡＭ７０の所定の領域に記憶する。一方、メインＣＰＵ６６は、参照した結果、普通図柄当り判定用乱数値が普通図柄当り判定値と一致しない場合には、はずれ図柄（例えば、“×”図柄）を示すデータをメインＲＡＭ７０の所定の領域に記憶する。このように記憶された当り図柄、はずれ図柄は、電飾ユニット５３（図４参照）において、普通図柄表示器３５に導出普通図柄指定コマンドとして供給される。これによって、普通図柄表示器３５は、普通図柄の変動表示（例えば“○”、“×”図柄を交互に点滅させる）を開始する。この後、ステップＳ１２４に処理を移す。
【０２０２】
ステップＳ１２４においては、メインＣＰＵ６６は、通常遊技が時短モードであるか否かを判断し、通常遊技が時短モードであった場合は、ステップＳ１２６において、メインＣＰＵ６６は、通常モードより短い普通図柄変動停止時間（例えば５秒）を、普通図柄変動タイマにセットして処理を終了する。一方、遊技モードが時短モードでない（つまり、確変モード又は通常モード）場合は、ステップＳ１２５において、メインＣＰＵ６６は、時短モードより長い普通図柄変動停止時間（例えば３０秒）を、普通図柄変動タイマにセットして処理を終了する。
【０２０３】
［損失補填制御処理］
図７のステップＳ１４において実行されるサブルーチンについて図１３を用いて説明する。
【０２０４】
最初に、メインＣＰＵ６６は、ステップＳ１５１において、本サブルーチンにおける内部フラグとして、損失補填作動中のフラグを読み出し、損失補填モードが現在選択されているか否かを判断し、選択されていた場合はステップＳ１６０へ処理を移す。一方、選択されていない場合はステップＳ１５２において、これも損失補填作動中のフラグと同様に内部フラグである損失補填設定中のフラグを読み出し、遊技者による損失補填モードの選択設定中か否かを判断して、設定中の場合はステップＳ１５３に処理を移す。また、設定中でない場合はステップＳ１５７へ処理を移す。
【０２０５】
ステップＳ１５３において、メインＣＰＵ６６は、遊技者により操作パネル２７に設けられている決定ボタン２７ｂ（図１６（ａ）参照）の入力を検知したか否かを判断して、入力された場合は、ステップＳ１５４において、損失補填作動処理を行う。この損失補填作動処理は、本実施形態における損失補填モードを作動開始させるものであり、損失補填モードが終了するまでの可変表示ゲームの実行回数（例えば、３００回）や損失補填モードが選択中であることを示す損失補填作動中のフラグをセット（つまり、“１”）して、メインＲＡＭ７０の所定の領域に記憶する。
【０２０６】
さらに、ステップＳ１５４の損失補填作動処理において、メインＣＰＵ６６は、貯留部２８に遊技球が貯留可能となるように、貯留部２８の底面に設けられている可動部材２８ｂの動作指示を、可動部材ソレノイド１２１（図５参照）に対して出力する。これにより、本実施形態における貯留部２８に遊技球の貯留が開始され、遊技者は貯留部２８への遊技球の貯留態様を視認することによっても、損失補填モードの作動を確認することができる。なお、貯留部２８に付設されている可動部材２８ｂの可動態様及び貯留部２８への遊技球の貯留態様については後に詳述する。そして、この処理が終了すると本サブルーチンを終了する。
【０２０７】
なお、ここでメインＲＡＭ７０の所定の領域に記憶された損失補填作動中のフラグは、前述したシステムタイマ割込処理（図８参照）の徴収処理（ステップＳ２６）において参照され、損失補填作動中のフラグがセットされていた場合は、遊技球の徴収処理が実行される。また、前述したように、特別図柄記憶チェック処理（図１０参照）において、損失補填作動中のフラグがセットされていた場合は、損失補填モードが終了するまでの可変表示ゲームの実行回数（例えば、３００回）の減算処理（ステップＳ７３）が行われるとともに、可変表示ゲームの実行回数が“０”であり、なおかつ、小当たり遊技（つまり、本実施形態における特別遊技の一つ）に当選した場合に、小当たり遊技に伴う大入賞口３９の開放とタイミングを計って、貯留部２８の遊技球の貯留を解除することにより、貯留部２８に貯留された所定数の遊技球を大入賞口３９へ入賞させて、それに応じた賞球により、本実施形態における補填処理が実現されることとなる。
【０２０８】
一方、決定ボタン２７ｂ（図１６（ａ）参照）の入力を検知しなかった場合は、メインＣＰＵ６６は、ステップＳ１５５において、操作パネル２７に設けられているキャンセルボタン２７ｃ（図１６（ａ）参照）の入力を検知したか、又は、損失補填モードの選択設定待ちタイマがタイムアウト（つまり、“０”）したか否かを判断して、キャンセルボタン２７ｃの入力を検知したか、又は、損失補填モードの選択設定待ちタイマがタイムアウト（つまり、“０”）の何れかの条件が満たされた場合は、ステップＳ１５６において、損失補填設定中のフラグをクリアしてメインＲＡＭ７０の所定の領域に記憶更新した後、本サブルーチンを終了する。また、キャンセルボタン２７ｃの入力を検知せずに、同時に損失補填モードの選択設定待ちタイマがタイムアウト（つまり、“０”）していなかった場合は、本サブルーチンを終了する。
【０２０９】
ステップＳ１５７において、メインＣＰＵ６６は、遊技者による操作パネル２７に設けられた各種スイッチ（図１６（ａ）参照）の操作を検知したか否かを判断して、検知しなかった場合は本サブルーチンを終了する。一方、検知した場合は、ステップＳ１５８において、液晶表示装置３２の表示領域３２ａにおいて、損失補填モードの選択設定画像（図１６（ｂ）参照）を表示させる要求をメインＲＡＭ７０の所定の領域に記憶する。
【０２１０】
そして、ステップＳ１５９において、メインＣＰＵ６６は、遊技者による損失補填モードの選択設定中であることを示す内部フラグである損失補填設定中をセット（つまり、“１”）するとともに、損失補填モードの選択設定待ちタイマに所定時間（例えば、３０秒）をメインＲＡＭ７０の所定の領域に記憶して、本サブルーチンを終了する。
【０２１１】
ステップＳ１６０において、メインＣＰＵ６６は、前述した特別図柄記憶チェック処理（図１０参照）の大当たり抽選処理（ステップＳ６４）の抽選結果が、大当たりに当選したか否かを判断して、当選していない場合はステップＳ１６４へ処理を移す。一方、当選していた場合は、ステップＳ１６１において、損失補填解除決定処理を実行する。
【０２１２】
この損失補填解除決定処理において、メインＣＰＵ６６は、前述した特別図柄記憶チェック処理（図１０参照）の大当たり図柄の決定（ステップＳ６６）でメインＲＡＭ７０の所定の領域に記憶された「大当たりの履歴」を参照して、所定の条件に基づき、本実施形態における損失補填モードを解除するか否かを決定する。ここで言う所定の条件とは、具体的に説明すると、例えば、第１の条件として、当該大当たり遊技の実行ラウンド数が１５ラウンドゲーム以上の場合、第２の条件として、当該大当たり遊技と前回大当たり遊技の実行ラウンド数が合計１５ラウンドゲーム以上の場合、そして、第３の条件として、前回大当たりの種類が確変大当たりの場合（本実施形態によれば、ラウンド数合計が１５ラウンドに満たない２Ｒ確変大当たり遊技であってもよい）であり、本実施形態においては前記３種類の損失補填モードを解除する条件が所定の条件として設定されている。そして、メインＣＰＵ６６は、前記３種類の損失補填モードを解除する条件のうち、一つの条件でも満たした場合は、損失補填モードの解除を決定するのである。つまり、所定数以上のラウンド遊技が実行される大当たり遊技に当選した場合、あるいは当選した大当たり遊技の合計のラウンド遊技数が所定数以上の場合、あるいは確率変動付大当たり遊技に当選した場合に前記損失補填モードを解除（つまり、終了）する。なお、確率変動付大当たり遊技に当選した場合でも、遊技者に対する賞球を伴わない２Ｒ確変大当たり遊技（突確大当たり遊技）に当選した場合は、次回大当たり遊技に当選した場合の、大当たり遊技のラウンド遊技の実行回数に応じて、損失補填モードを終了させるか否かを決定するようにしてもよい。
【０２１３】
そして、ステップＳ１６２において、メインＣＰＵ６６は、損失補填解除決定処理において、損失補填モードの解除が決定されたか否かを判断して、決定されていない場合は本サブルーチンを終了する。一方、損失補填モードの解除が決定されていた場合は、ステップＳ１６３において、メインＣＰＵ６６は、損失補填モードを選択中であることを示す損失補填作動中のフラグをリセット（つまり、損失補填モードの終了をセット）してメインＲＡＭ７０の所定の領域に記憶更新するとともに、貯留部２８への遊技球の貯留を解除するための可動部材２８ｂの動作指示を、可動部材ソレノイド１２１（図５参照）に対して出力する。これにより、損失補填モードが作動中であり、なおかつ、遊技球の補填処理が実行される前の状態で、貯留部２８への遊技球の貯留が解除されるので、遊技者は、所定数のラウンドゲームの実行回数を備えた大当たり遊技への当選を知ることとなる。そして、この処理が終了すると本サブルーチンを終了する。
【０２１４】
ステップＳ１６４において、メインＣＰＵ６６は、メインＲＡＭ７０の所定の領域に、損失補填開始のフラグがセットされているか否かを判断して、損失補填開始のフラグがセットされていなかった場合は、ステップＳ１６５へ処理を移す。一方、損失補填開始のフラグがセットされていた場合は、ステップＳ１６７へ処理を移す。なお、ここで参照される損失補填開始のフラグは、前述した特別図柄記憶チェック処理（図１０参照）のステップＳ７６の処理において、損失補填モードの作動中に可変表示ゲームの実行回数（例えば、３００回）が終了（つまり、３００回の可変表示ゲームを消化）して、なおかつ、小当たり遊技に当選した場合に、メインＲＡＭ７０の所定の領域に記憶されたものである。すなわち、本実施形態における損失補填の実行を指示するものである。
【０２１５】
ステップＳ１６５において、メインＣＰＵ６６は、カードユニット１５０（図３参照）に残度数があるか否かを判断して、残度数がない場合は本サブルーチンを終了する。一方、残度数があった場合はステップＳ１６６へ処理を移す。つまり、前述したように、本実施形態においては、カードユニット１５０（図３参照）に専用の記憶媒体又は現金を投入して、遊技者が貸し出しボタン（図示せず）を操作すると、予め定められた所定の金額（例えば、千円）に応じた数（例えば、２５０個）の遊技球が上皿２０に払い出されるものであるが、例えば、記憶媒体又は現金が所定の金額以上投入された場合は、当然のことながら、所定の金額を差し引いた残りの金額が、カードユニット１５０（図３参照）に残ることになる。すなわち、本実施形態においては、カードユニット１５０（図３参照）における残金高を残度数として記述しているのである。
【０２１６】
そして、ステップＳ１６６において、メインＣＰＵ６６は、カードユニット１５０（図３参照）の返却ボタン（図示せず）が遊技者に操作されたか否かを判断して、操作された場合はステップＳ１６８へ処理を移す。一方、操作されていなかった場合は本サブルーチンを終了する。すなわち、このステップＳ１６５とステップＳ１６６の処理では、カードユニット１５０（図３参照）に残度数があった場合に、遊技者が返却ボタン（図示せず）を操作した場合は、当該パチンコ遊技機１０での遊技を終了するものとして、それまで選択された損失補填モードを解除するのである。
【０２１７】
ステップＳ１６７において、メインＣＰＵ６６は、損失補填実行処理を行なう。この損失補填実行処理では、貯留部２８に貯留された所定数の遊技球を、小当たり遊技に応じて開放される大入賞口３９の開放タイミングにあわせて貯留を解除するための、貯留部２８への遊技球の貯留解除要求を、メインＲＡＭ７０の所定の領域に記憶する。そして、この処理が終了するとステップＳ１６８へ処理を移す。
【０２１８】
なお、上記ステップ１６８において、貯留部２８への遊技球の貯留を解除するために、メインＲＡＭ７０の所定の領域に記憶された可動部材２８ｂの動作要求は、特別図柄制御処理（図９参照）の大入賞口開放処理（ステップＳ４２）において参照され、大入賞口３９に付設されたシャッタ４０の開放指示とともに、貯留部２８に付設された可動部材２８ｂの動作指示が実行されることとなる。すなわち、本実施形態においては、小当たり遊技の当選時における大入賞口３９の開放と、貯留部２８の遊技球の貯留解除は同期を取って実行されることとなる。
【０２１９】
ステップＳ１６８において、メインＣＰＵ６６は、損失補填モードが選択中であることを示す損失補填作動中のフラグをリセット（つまり、損失補填モードの終了をセット）し、メインＲＡＭ７０の所定の領域に記憶更新して、本サブルーチンを終了する。
【０２２０】
以上、上述してきた本実施形態における損失補填制御処理によれば、まず、遊技者が操作パネル２７を用いて所定の操作を行なうことにより、損失補填モードを設定するか否かが任意に選択される。そして、損失補填モードが設定された場合は、特別図柄記憶チェック処理（図１０参照）において、可変表示ゲームの実行回数の減算処理が行われるとともに、可変表示ゲームの実行回数が“０”であり、なおかつ、小当たり遊技に当選したことを条件として、貯留部２８に貯留された所定数の遊技球を大入賞口３９へ入賞させて、それに応じた賞球により、本実施形態における補填処理が実現されることとなる。
【０２２１】
なお、本実施形態においては、損失補填モードが設定された状態でも、例えば、所定のラウンド数以上の大当たり遊技に当選して、遊技者に十分に利益を還元できる場合や、カードユニット１５０の残度数が残っているにもかかわらず、遊技者が返却ボタンを操作した場合、言い換えると、当該パチンコ遊技機１０において遊技者が遊技を継続する意志がないと判断された場合は、設定された損失補填モードは途中で解除される構成としている。そして、当然のことながら、損失補填モードが途中で解除された場合は、それまで徴収された遊技球は遊技者に還元されない。
【０２２２】
［損失補填モードの選択設定及び画像表示］
ここで、図１５及び図１６を参照して、遊技者による損失補填モードの選択設定と、それに応じて、液晶表示装置３２の表示領域３２ａで表示される損失補填が実行されるまでの可変表示ゲームの表示画像について説明する。図１５は通常時の表示演出画像と、損失補填モードを選択中の表示画像を説明する図である。図１６は損失補填モードの選択設定操作を説明する図である。
【０２２３】
まず、図１５（ａ）に示すように、通常遊技状態（つまり、損失補填モードを非選択）では、液晶表示装置３２の表示領域３２ａの略中央部において、大当たり抽選の抽選結果を遊技者に示唆するための可変表示ゲームとして、識別情報である数字画像９０が変動表示されている。そして、数字画像９０の変動表示以外の表示領域３２ａにおいては、演出画像として、複数のキャラクタ画像や、メッセージ画像等で構成される演出画像９１が、数字画像９０の下方に画像表示されている。
【０２２４】
そして、図１５（ｂ）に示すように、損失補填モードを選択中は、通常遊技状態と同様に、数字画像９０及び演出画像９１が、液晶表示装置３２の表示領域３２ａにおいて表示されるとともに、損失補填表示画像１００も数字画像９０に右側に、専用の別枠で同時に表示されるものである。つまり、本実施形態における損失補填表示画像１００は、従来のパチンコ遊技機１０における可変表示ゲームの表示画像（数字画像９０、演出画像９１）を妨げることなく、透明な遊技盤１４を透して、従来の遊技機よりも広く構成された、液晶表示装置３２の表示領域３２ａに、専用の別枠で同時に表示されるものである。
【０２２５】
なお、図１５（ｂ）においては、数字画像９０の右側に損失補填表示画像１００を表示する実施形態で説明したが、特に、損失補填表示画像１００の表示位置は限定されるものではなく、可変表示ゲームの表示画像（数字画像９０、演出画像９１）を遊技者が視認することを妨げず、なおかつ、遊技者が見やすい位置であればよいし、また、演出画像９１は表示領域３２ａを移動しながら表示される場合があるので、その場合は、損失補填表示画像１００も移動又は表示位置を変更しても構わない。
【０２２６】
次に、図１６（ａ）に示すように、本実施形態における操作パネル２７は、上下左右に押下可能な十字方向ボタン２７ａ、決定ボタン２７ｂ及びキャンセルボタン２７ｃで構成されている。そして、遊技者が何れかのボタン操作を行なうと、図１６（ｂ）に示すように、最初に、損失補填選択画像１００ａが表示領域３２ａに表示される。
【０２２７】
そして、損失補填選択画像１００ａが表示されている状態で、遊技者が決定ボタン２７ｂを押下すると、図１６（ｃ）に示すように、損失補填表示画像１００ｂが表示され、損失補填を実行するまでの可変表示ゲームの実行回数が表示される。そして、１回の可変表示ゲームの終了毎に、図１６（ｄ）に示すように、損失補填表示画像１００ｃにより損失補填を実行するまでの可変表示ゲームの実行回数が１回ずつ減算して表示されることになる。これにより、遊技者は後何回の可変表示ゲームを実行すると、損失補填が実行されるかを知ることができる。
【０２２８】
さらに、本実施形態においては、可変表示ゲームの実行回数が“０”になるまで減算された場合は、図１６（ｅ）に示すように、損失補填の実行契機の一つである小当たり遊技当選待ちを示唆する損失補填表示画像１００ｄが表示されることになる。そして、前述したように、可変表示ゲームの実行回数が“０”であり、なおかつ、小当たり遊技に当選した場合に、貯留部２８に貯留された遊技球の貯留が解除されて、補填処理が実行されることとなる。なお、図１５（ｂ）に示す損失補填表示画像１００は、図１６（ｃ）〜（ｅ）に示す損失補填表示画像１００ｂ、１００ｃ、１００ｄと同じ表示画像である。
【０２２９】
上述してきたように、本実施形態においては、通常遊技状態（つまり、損失補填モードを非選択）実行時に、遊技者による操作パネル２７に設けられた何れかのボタン操作を検知すると、損失補填モードを選択できる損失補填選択画像１００ａが表示され、そこで決定ボタン２７ｂが押下されることで、損失補填モードが選択される。そして、損失補填モードの選択中は、損失補填表示画像１００ｂ，１００ｃ、１００ｄにおいて、損失補填を実行するまでの可変表示ゲームの実行回数が表示されることとなる。
【０２３０】
なお、本実施形態においては、損失補填が実行されるまでの可変表示ゲームの実行回数を「３００回」に設定したが、これは、通常遊技状態における大当たり遊技への当選確率が「１／３００」（図６参照）のため、その確率分母を、可変表示ゲームの実行回数「３００回」として設定しただけであり、可変表示ゲームの実行回数は、例えば、損失補填を実行する場合に、遊技者に還元される遊技球の数に応じて適宜変更しても構わない。
【０２３１】
［副制御回路メイン処理］
一方、副制御回路２００は、副制御回路メイン処理を実行することとなる。この副制御回路メイン処理について図１４を用いて説明する。なお、この副制御回路メイン処理は、電源が投入されたときに開始される処理である。
【０２３２】
最初に、ステップＳ２０１において、サブＣＰＵ２０６は、ＲＡＭアクセス許可、作業領域を初期化等の初期設定処理を実行する。つまり、サブＣＰＵ２０６は、電源が投入されたことに基づいて、遊技を正常に行わせるための所定の初期設定を行うこととなる。尚、本実施形態においては、ステップＳ２０１を実行するサブＣＰＵ２０６は、初期設定手段の一例に相当する。この処理が終了した場合には、ステップＳ２０２に処理を移す。
【０２３３】
ステップＳ２０２において、サブＣＰＵ２０６は、乱数更新処理を実行する。この処理において、サブＣＰＵ２０６は、ワークＲＡＭ２１０の所定領域に位置付けられた各種の乱数値を更新する。この処理が終了した場合には、ステップＳ２０３に処理を移す。
【０２３４】
ステップＳ２０３において、サブＣＰＵ２０６は、コマンド解析処理を実行する。この処理において、サブＣＰＵ２０６は、主制御回路６０のメインＣＰＵ６６から送られてきた各種コマンド（例えば、導出図柄指定コマンド、損失補填表示コマンド、デモ表示コマンド等）を解析し、その解析したコマンドに応じた処理を実行することとなる。この処理が終了した場合には、ステップＳ２０４に処理を移す。
【０２３５】
ステップＳ２０４において、サブＣＰＵ２０６は、表示制御処理を実行する。この処理において、サブＣＰＵ２０６は、前記コマンド解析処理において、主制御回路６０のメインＣＰＵ６６からの導出図柄指定コマンドを受信した場合に、その導出図柄指定コマンドに応じた装飾図柄等の画像表示制御を、液晶表示装置３２の表示領域３２ａにおいて行うこととなる。
【０２３６】
また、ステップＳ２０４の表示制御処理においては、ステップＳ２０３におけるコマンド解析処理において、サブＣＰＵ２０６は、主制御回路６０のメインＣＰＵ６６から損失補填表示コマンドを受信した場合は、液晶表示装置３２の表示領域３２ａにおいて、通常の装飾図柄等の画像表示に加えて、損失補填選択画像１００ａ（図１６（ｂ）参照）や損失補填表示画像１００ｂ、１００ｃ、１００ｄ（図１６（ｃ）〜（ｅ）参照）を専用の表示領域において表示する制御を実行する。
【０２３７】
さらに、ステップＳ２０４の表示制御処理においては、上記コマンド解析処理において、サブＣＰＵ２０６は、主制御回路６０のメインＣＰＵ６６からデモ表示コマンドを受信した場合は、液晶表示装置３２の表示領域３２ａにおいて、図２０に示すようにキャラクタ等を用いた客待デモ画像９２と損失補填モードの案内画像１０１を専用の表示領域において表示する制御を実行する。
【０２３８】
そして、サブＣＰＵ２０６は、スピーカ４６Ｒ，４６Ｌから発生させる音の制御を行う音声制御処理（ステップＳ２０５）、各種の装飾ランプ１３３ａ，１３３ｂの発光制御を行うランプ制御処理を実行する（ステップＳ２０６）。この処理が終了した場合には、ステップＳ２０２に処理を移す。
【０２３９】
このように、副制御回路メイン処理においては、ステップＳ２０１の初期設定処理が終了した後、ステップＳ２０２〜ステップＳ２０６の処理を繰り返し実行することとなる。
【０２４０】
［貯留部２８の構成及び遊技球の貯留と解除］
ここで、図１７〜図１９を参照して、本実施形態における貯留部２８の構成と、貯留部２８への遊技球の貯留態様及び貯留解除による遊技球の流下態様を説明する。図１７は貯留部２８への遊技球の貯留態様を説明する正面拡大図である。図１８は貯留部２８の貯留が解除されて、下方に設置された大入賞口３９への遊技球の流下態様を説明する正面拡大図である。図１９は貯留部２８から下方に設置された大入賞口３９への遊技球の入賞を説明する断面図である。
【０２４１】
本実施形態における貯留部２８は、実質的に、上部両側に左開口部２８Ｌと右開口部２８Ｒとを形成し、底部を開放した収容ケース２８ａから構成されており、この開放された底部には開閉自在とした可動部材２８ｂを設けて底面を形成している。そして、かかる貯留部２８を、始動口２５の下方、かつ、大入賞口３９の直上方位置（図３参照）に設けている。収容ケース２８ａは透光性を有する遊技盤１４と同様の部材で構成されており、遊技球の貯留態様を遊技者から視認可能としている。貯留部２８の底面をなす可動部材２８ｂは、遊技球を貯留可能としたり、貯留解除したりするように前後方向へ揺動可能となっている。この可動部材２８ｂは、通常遊技状態においては、遊技領域１５に沿って垂直な状態を維持（図１９（ｂ）参照）しているが、遊技者により損失補填モードが設定されると、貯留部２８の底面を塞ぐように遊技領域１５に対して水平に可動（図１９（ａ）参照）して、貯留部２８の内部に所定数（約２０個）の遊技球を貯留可能とするのである。なお、貯留部２８に貯留された遊技球が大入賞口３９に円滑に流入していくように、可動部材２８ｂの横方向の長さ（開放底部の横方向の長さ）は、大入賞口３９の横方向の長さよりも短くしている。以下、図１８用いて貯留部２８への遊技球の貯留態様を説明する。
【０２４２】
図１７（ａ）に示すように、遊技者により損失補填モードが設定されると、貯留部２８の底辺に設けられた可動部材２８ｂは、遊技領域１５に対して水平に可動して、貯留部２８の底面を塞ぐことにより、貯留部２８の内部への遊技球の貯留が可能となり、貯留部２８の上面２８ｃの両側に設けられた左開口部２８Ｌ及び右開口部２８Ｒから、遊技領域１５を流下してきた遊技球は、周辺に配設された遊技釘１３に案内されて、貯留部２８の内部に貯留されることとなる。
【０２４３】
また、貯留部２８（収容ケース２８ａ）の内部に所定数（約２０個）の遊技球が貯留された場合は、図１７（ｂ）に示すように、貯留部２８の内部に貯留された遊技球自体が、左開口部２８Ｌ及び右開口部２８Ｒを自然と塞ぐことになるので、貯留部２８の内部には所定数（約２０個）以上の遊技球は貯留されない構成としている。
【０２４４】
そして、本実施形態においては、可変表示ゲームの実行回数（例えば、３００回）を消化した場合であり、なおかつ、小当たり遊技に当選した場合は、小当たり遊技の当選に伴う大入賞口３９の開放のタイミングにあわせて、貯留部２８に貯留された遊技球の貯留を解除して、大入賞口３９へ入賞した遊技球の数に応じた賞球を、遊技者に対する損失補填として提供している。以下、図１８を用いて、貯留部２８の貯留が解除されて、下方に設置された大入賞口３９へ遊技球が流下する態様を説明する。
【０２４５】
すなわち、図１８（ａ）に示すように、貯留部２８の内部に所定数（約２０個）の遊技球が貯留された状態において、可変表示ゲームの実行回数（例えば、３００回）を消化した場合であり、なおかつ、小当たり遊技に当選した場合は、図１８（ｂ）に示すように、小当たり遊技に伴う大入賞口３９の開放のタイミングに応じて、貯留部２８の底面に設けられた可動部材２８ｂを遊技領域１５に沿って垂直な状態に可動させることにより、言い換えると、貯留部２８の底面を開放することにより、貯留部２８の内部に貯留された遊技球を、下方に設けられたシャッタ４０を開放した大入賞口３９へ入賞可能として、大入賞口３９へ入賞した遊技球の数に応じた賞球により、遊技者に対する損失補填とするのである。
【０２４６】
ここで、図１９を用いて、貯留部２８から下方に設置された大入賞口３９への遊技球の入賞を説明する。図１９（ａ）に示すように、貯留部２８は、略遊技球１個分強の奥行を持って、最高４段まで重ねて貯留可能（図１７（ｂ）参照）なように遊技領域１５に配設されている。そして、貯留部２８に遊技球を貯留可能とする場合は、貯留部２８の底面に設けられた可動部材２８ｂは、貯留部２８の底面を塞ぐように遊技領域１５側を支点として水平状態の可動態様を維持している。これにより、前述したように、貯留部２８の上面２８ｃの左右両端に設けられた左開口部２８Ｌ及び右開口部２８Ｒから入球した遊技球は、所定数（約２０個）に達するまで貯留されることとなる。
【０２４７】
そして、図１９（ｂ）に示すように、大入賞口３９に付設されているシャッタ４０が開放するタイミングで、可動部材２８ｂが遊技領域１５側を支点として、下方に垂直状態に可動すると、貯留部２８に貯留された遊技球は大入賞口３９へ落下してゆき、開放したシャッタ４０に受け止められて大入賞口３９の内部に入賞する。また、大入賞口３９の内部に入賞した遊技球は、大入賞口３９の奥に設けられた遊技球排出路３９ｂを通過して、遊技盤１４の外部に排出されると同時に、遊技球排出路３９ｂに設けられたカウントセンサ１０４（図５参照）により、大入賞口３９に入賞した遊技球の個数がカウントされ、それに応じた賞球が遊技者に払い出されることになる。
【０２４８】
上述してきた実施形態のパチンコ遊技機１０によれば、遊技者が所有する遊技球の遊技中における損失を補填する損失補填モードを、遊技者自身により設定するか否かを選択可能とし、しかも、損失補填モードを設定中に遊技球を貯留可能とした貯留部２８を、大型の入賞領域を備えて構成された大入賞口３９の上部に設けて、さらに、可変表示ゲームの所定の実行回数（例えば、３００回）の経過と、小当たり遊技への当選という両方の条件を満たしたことを契機として、大入賞口３９の開放タイミングに応じて、貯留部２８に貯留された遊技球の貯留を解除して大入賞口３９への遊技球の入賞を可能とすることで、それに応じた賞球を損失補填として遊技者に提供している。
【０２４９】
これにより、遊技者の遊技中における損失を補填する損失補填モードでの遊技を遊技者自身の選択により行えるようにしているので、遊技者にとって不公平感の少ない遊技機を提供することが可能となる。しかも、遊技領域に設けられた複数の入賞領域うち、もっとも遊技球の入賞確率の高い大入賞口３９の上流側に遊技球の貯留及び貯留解除が可能な貯留部２８（つまり、貯留手段）を設けて、補填処理を実行する場合に、貯留部２８に貯留された遊技球の貯留を解除して当該貯留部２８から放出された遊技球を大入賞口３９に入賞させ、入賞数に応じて払い出された賞球を補填に充当するようにしているため、損失補填モードでの遊技性が向上し、より多くの遊技者に受けいれられやすいパチンコ遊技機１０を提供することが可能となる。
【０２５０】
以上の実施形態により、以下の遊技機が実現される。
【０２５１】
すなわち、遊技球が転動するとともに、複数の入賞領域（例えば、始動口２５、大入賞口３９）が設けられた遊技領域１５を有する遊技盤１４と、前記入賞領域を遊技球が通過した場合、所定数の賞球を払い出す賞球払出手段（例えば、システムタイマ割込処理（図８）、賞球払出処理（ステップＳ２７））と、この賞球払出手段の動作制御を行うとともに、多くの賞球の払出を受ける機会が増加する特別遊技に移行させるか否かの抽選処理（例えば、特別図柄記憶チェック処理（図１０）、特別遊技抽選処理（ステップＳ６４））を行う遊技実行制御手段（例えば、主制御回路６０、メイン処理（図７））と、遊技者が所有する遊技球の一部を徴収する徴収処理と、前記遊技実行制御手段の抽選処理に基づく遊技結果に応じて、遊技者が損失した遊技球を補填する補填処理とを含む損失補填モードの制御を行う損失補填制御手段（例えば、損失補填制御処理（図１３））と、前記損失補填モードにするか否かを遊技者により選択操作可能な選択手段（例えば、操作パネル２７）と、前記入賞領域の上流側に設けられ、所定数の遊技球の貯留及び貯留解除が可能な貯留手段（例えば、貯留部２８）と、を備え、前記損失補填制御手段は、前記補填処理を実行する場合、前記貯留手段に貯留された遊技球の貯留を解除して当該貯留手段から放出された遊技球を前記入賞領域（例えば、大入賞口３９）に入賞させ、前記賞球払出手段により入賞数に応じて払い出された賞球を補填に充当する遊技機（パチンコ遊技機１０）。
【０２５２】
前記遊技領域１５に設けられた複数の入賞領域（例えば、始動口２５、大入賞口３９）は、遊技球の通過が、前記遊技実行制御手段（例えば、主制御回路６０、メイン処理（図７））による前記抽選処理（例えば、特別図柄記憶チェック処理（図１０）、特別遊技抽選処理（ステップＳ６４））が実行される契機となる抽選始動入賞領域（例えば、始動口２５）と、前記特別遊技に移行した際に、閉鎖状態から所定時間開放状態となる特別入賞領域（例えば、大入賞口３９）とを含み、前記貯留手段（例えば、貯留部２８）は、前記特別入賞領域の上方に配置されている遊技機（パチンコ遊技機１０）。
【０２５３】
前記損失補填制御手段（例えば、損失補填制御処理（図１３））は、前記特別入賞領域（例えば、大入賞口３９）が開放状態となったときに、前記貯留手段（例えば、貯留部２８）による遊技球の貯留を解除する遊技機（パチンコ遊技機１０）。
【０２５４】
前記特別遊技は、遊技者がより多くの賞球の払い出しを受けることのできる大当たり遊技（例えば、２Ｒ確変大当たり遊技、１５Ｒ確変大当たり遊技、１０Ｒ通常大当たり遊技）と、この大当たり遊技よりも有利度合いの小さい小当たり遊技とを含み、前記損失補填制御手段（例えば、損失補填制御処理（図１３））は、前記遊技実行制御手段（例えば、主制御回路６０、メイン処理（図７））による前記抽選処理（例えば、特別図柄記憶チェック処理（図１０）、特別遊技抽選処理（ステップＳ６４））の結果、前記小当たり遊技に当選した場合に、前記貯留手段（例えば、貯留部２８）に貯留された遊技球の貯留を解除する（パチンコ遊技機１０）。
【０２５５】
なお、本実施形態においては、損失補填モードを設定中に実行される徴収処理において、遊技領域１５に複数設けられた各入賞口へ遊技球が入球したことに応じた賞球の一部を所定数（例えば、３０個）に達するまで徴収するようにしたが、本発明はこれに限定されるものではなく、例えば、カードユニット１５０から供給される貸し球制御信号を受け取り、払出装置１２８に対して所定の信号を送信することにより、払出装置１２８に所定金額（例えば、千円単位）の貸し玉をパチンコ遊技機１０の上皿２０に払い出す場合に、その貸し玉の一部を徴収するようにしても構わない。
【０２５６】
また、本実施形態においては、損失補填モードの作動中は、徴収処理において賞球の一部を実際に徴収して、遊技者に払い出す賞球数を減らす構成としたが、本発明はこれに限定されるものではなく、例えば、損失補填モードを作動中の徴収処理において、遊技領域１５に設けられた複数の入賞口に遊技球が入球した個数をカウントするだけで、必ずしも賞球数を減らす構成としなくても構わない。
【０２５７】
さらに、本実施形態においては、当選した大当たり遊技の実行ラウンド回数が所定回数の場合を所定の条件として、損失補填モードを途中で解除（つまり、終了）させるようにしたが、本発明はこれに限定されるものではなく、当選した大当たり遊技における実行ラウンド数の所定回数等は、遊技機に設定されている大当たり遊技の種類に合わせて適宜変更可能である。
【０２５８】
また、本実施形態においては、損失補填モードの作動中にのみ貯留部２８への遊技球の貯留を可能としたが、本発明はこれに限定されるものではなく、例えば、通常遊技の状態で、常時貯留部２８に遊技球を貯留しても構わない。
【０２５９】
また、本発明の実施例に記載された効果は、本発明から生じる最も好適な効果を列挙したに過ぎず、本発明による効果は、本発明の実施例に記載されたものに限定されるものではない。
【図面の簡単な説明】
【０２６０】
【図１】本発明の一実施形態のパチンコ遊技機における概観を示す斜視図である。
【図２】本発明の一実施形態のパチンコ遊技機における概観を示す分解斜視図である。
【図３】本発明の一実施形態のパチンコ遊技機における概観を示す正面図である。
【図４】本発明の一実施形態のパチンコ遊技機における電飾ユニットを示す正面図である。
【図５】本発明の一実施形態のパチンコ遊技機において構成される主制御回路及び副制御回路を示すブロック図である。
【図６】本発明の一実施形態のパチンコ遊技機において参照される特別遊技抽選テーブルである。
【図７】本発明の一実施形態のパチンコ遊技機において実行される制御処理を示すフローチャートである。
【図８】本発明の一実施形態のパチンコ遊技機において実行される制御処理を示すフローチャートである。
【図９】本発明の一実施形態のパチンコ遊技機において実行される制御処理を示すフローチャートである。
【図１０】本発明の一実施形態のパチンコ遊技機において実行される制御処理を示すフローチャートである。
【図１１】本発明の一実施形態のパチンコ遊技機において実行される制御処理を示すフローチャートである。
【図１２】本発明の一実施形態のパチンコ遊技機において実行される制御処理を示すフローチャートである。
【図１３】本発明の一実施形態のパチンコ遊技機において実行される制御処理を示すフローチャートである。
【図１４】本発明の一実施形態のパチンコ遊技機において実行される制御処理を示すフローチャートである。
【図１５】本発明の一実施形態のパチンコ遊技機における表示画像を説明する図である。
【図１６】本発明の一実施形態のパチンコ遊技機における損失補填実行までの可変表示ゲーム数の表示画像を説明する図である。
【図１７】本発明の一実施形態のパチンコ遊技機における遊技球の貯留態様を説明する正面拡大図である。
【図１８】本発明の一実施形態のパチンコ遊技機における貯留部からの遊技球の流下態様を説明する正面拡大図である
【図１９】本発明の一実施形態のパチンコ遊技機における貯留部から大入賞口への遊技球の入賞を説明する断面図である。
【図２０】本発明の一実施形態のパチンコ遊技機におけるデモ表示の表示画像を説明する図である。
【符号の説明】
【０２６１】
１０    パチンコ遊技機
１４    遊技盤
１５    遊技領域
２７    操作パネル
２５    始動口
２８    貯留部
３２    液晶表示装置
３３    特別図柄表示器
３９    大入賞口
６０    主制御回路
２００    副制御回路
【図１】
2009201814.tif 000003
【図２】
2009201814.tif 000004
【図３】
2009201814.tif 000005
【図４】
2009201814.tif 000006
【図５】
2009201814.tif 000007
【図６】
2009201814.tif 000008
【図７】
2009201814.tif 000009
【図８】
2009201814.tif 000010
【図９】
2009201814.tif 000011
【図１０】
2009201814.tif 000012
【図１１】
2009201814.tif 000013
【図１２】
2009201814.tif 000014
【図１３】
2009201814.tif 000015
【図１４】
2009201814.tif 000016
【図１５】
2009201814.tif 000017
【図１６】
2009201814.tif 000018
【図１７】
2009201814.tif 000019
【図１８】
2009201814.tif 000020
【図１９】
2009201814.tif 000021
【図２０】
2009201814.tif 000022